(57)【要約】【課題】搬送物を効率よく搬送できる搬送装置を提供する。【解決手段】搬送装置13は、搬送装置本体20を備える。搬送装置本体20は、搬送物12を上昇させる上昇搬送部26、および上昇搬送部26で上昇された搬送物12を下降させる下降搬送部27を有する。上昇搬送部26と下降搬送部27とは第１方向Ｘに並ぶ。上昇搬送部26の第１方向Ｘに対して交差する第２方向Ｙの一側に第１搬入部21を配設する。上昇搬送部26の第２方向Ｙの他側に第２搬入部22を配設する。下降搬送部27の第２方向Ｙの一側に第１搬出部23を配設する。下降搬送部27の第２方向Ｙの他側に第２搬出部24を配設する。搬送装置本体20は、第１搬入部21から上昇搬送部26に送り込まれる搬送物12を下降搬送部27から第２搬出部24に送り出し、第２搬入部22から上昇搬送部26に送り込まれる搬送物12を下降搬送部27から第１搬出部23に送り出す。【選択図】図１
2020033185.tif 000002
【特許請求の範囲】
【請求項１】
搬送物を上昇させる上昇搬送部、およびこの上昇搬送部で上昇された搬送物を下降させる下降搬送部を有し、前記上昇搬送部と前記下降搬送部とが第１方向に並ぶ搬送装置本体と、
前記上昇搬送部の前記第１方向に対して交差する第２方向の一側に配設され、前記上昇搬送部に向けて搬送物を送り込む第１搬入部と、
前記上昇搬送部の前記第２方向の一側または他側に配設され、前記上昇搬送部に向けて搬送物を送り込む第２搬入部と、
前記下降搬送部の前記第２方向の一側に配設される第１搬出部と、
前記下降搬送部の前記第２方向の一側または他側に配設される第２搬出部と
を具備し、
前記搬送装置本体は、前記第１搬入部から送り込まれる搬送物を前記上昇搬送部から前記下降搬送部に搬送して前記第２搬出部に送り出し、前記第２搬入部から送り込まれる搬送物を前記上昇搬送部から前記下降搬送部に搬送して前記第１搬出部に送り出す
ことを特徴とする搬送装置。
【請求項２】
前記第１搬入部は、前記上昇搬送部に対して前記第２搬入部よりも下部側に配設され、
前記第１搬出部は、前記下降搬送部に対して前記第２搬出部よりも下部側に配設されている
ことを特徴とする請求項１記載の搬送装置。
【請求項３】
前記搬送装置本体は、
前記上昇搬送部を上昇するとともに前記下降搬送部を下降し、前記上昇搬送部と前記下降搬送部との間で循環移動する搬送台と、
前記第１搬入部から送り込まれる搬送物を受け入れて前記上昇搬送部を上昇する前記搬送台に受け渡す第１受渡部と、
前記第２搬入部から送り込まれる搬送物を受け入れて前記上昇搬送部を上昇する前記搬送台に受け渡す第２受渡部と、
前記下降搬送部を下降する前記搬送台から搬送物を受け取って前記第１搬出部に送り出す第１送出部と、
前記下降搬送部を下降する前記搬送台から搬送物を受け取って前記第２搬出部に送り出す第２送出部と
を有する
ことを特徴とする請求項２記載の搬送装置。
【請求項４】
前記搬送台は、前記第２方向の少なくとも一側および他側の２箇所の搭載位置に搬送物を搭載可能とし、
前記第２搬入部が前記上昇搬送部の前記第２方向の他側に配設され、前記第２搬出部が前記下降搬送部の前記第２方向の他側に配設される場合、
前記第１受渡部は、前記搬送台の他側の搭載位置に搬送物を受け渡し、
前記第２受渡部は、前記搬送台の一側の搭載位置に搬送物を受け渡し、
前記第１送出部は、前記搬送台の一側の搭載位置に搭載された搬送物を受け取って前記第１搬出部に送り出し、
前記第２送出部は、前記搬送台の他側の搭載位置に搭載された搬送物を受け取って前記第２搬出部に送り出す
ことを特徴とする請求項３記載の搬送装置。
【請求項５】
前記第２受渡部は、前記第２方向の少なくとも一側および他側の２つに分割され、それぞれ独立して前記上昇搬送部に進退可能とするとともに搬送物を前記第２方向の一側に向けて搬送可能とする一側受渡部および他側受渡部を有し、これら一側受渡部および他側受渡部の進入時に、前記第２搬入部から送り込まれる搬送物を前記一側受渡部上に搬送して前記上昇搬送部を上昇する前記搬送台の一側の搭載位置に受け渡す状態とし、かつ、前記他側受渡部の退避時に、前記上昇搬送部を上昇する前記搬送台の他側の搭載位置に搭載された搬送物が通過可能な状態とする
ことを特徴とする請求項４記載の搬送装置。
【請求項６】
前記搬送台は、前記第１方向の両側に櫛歯状に設けられた複数のフォーク部を有し、
前記第１受渡部は、前記上昇搬送部の前記第１方向の両側で、前記上昇搬送部を上昇する前記搬送台の前記フォーク部間の位置に配置され、前記第２方向の他側に向けて搬送物を搬送可能とする複数の第１受渡ローラを有し、
前記第２受渡部は、前記上昇搬送部の前記第１方向の両側に配設され、前記上昇搬送部を上昇する前記搬送台の前記フォーク部間の位置に進退可能とするとともに、進入時に前記第２方向の一側に向けて搬送物を搬送可能とする複数の第２受渡ローラを有し、
前記第１送出部は、前記下降搬送部の前記第１方向の両側で、前記下降搬送部を下降する前記搬送台の前記フォーク部間の位置に配置され、前記第２方向の一側に向けて搬送物を搬送可能とする複数の第１送出ローラを有し、
前記第２送出部は、前記下降搬送部の前記第１方向の両側に配設され、前記下降搬送部を下降する前記搬送台の前記フォーク部間の位置に進退可能とするとともに、進入時に前記第２方向の他側に向けて搬送物を搬送可能とする複数の第２送出ローラを有する
ことを特徴とする請求項４または５記載の搬送装置。
【請求項７】
前記第２受渡部は、前記第２方向の一側および他側の２つに分割され、それぞれ独立して前記上昇搬送部に進退可能とするとともに搬送物を前記第２方向の一側に向けて搬送可能とする一側受渡部および他側受渡部を有し、前記他側受渡部の退避時に、前記第２搬入部から送り込まれる搬送物を受け入れ可能とするとともに、前記上昇搬送部を上昇する前記搬送台の他側の搭載位置に搭載された搬送物が通過可能な状態とし、前記一側受渡部および前記他側受渡部の進入時に、前記他側受渡部から前記一側受渡部上に搬送物を搬送して前記上昇搬送部を上昇する前記搬送台の一側の搭載位置に受け渡す状態とする
ことを特徴とする請求項４記載の搬送装置。
【請求項８】
前記搬送台は、前記第２方向の両側に櫛歯状に設けられた複数のフォーク部を有し、
前記第１受渡部は、前記上昇搬送部の前記第２方向の両側で、前記上昇搬送部を上昇する前記搬送台の前記フォーク部間の位置に配置され、前記第２方向の他側に向けて搬送物を搬送可能とする複数の第１受渡搬送体を有し、少なくとも一側の前記第１受渡搬送体は前記上昇搬送部を上昇する前記搬送台の前記フォーク部間の位置に進退可能とし、
前記第２受渡部は、前記上昇搬送部の前記第２方向の両側に配設され、前記上昇搬送部を上昇する前記搬送台の前記フォーク部間の位置に進退可能とするとともに、前記第２方向の一側に向けて搬送物を搬送可能とする複数の第２受渡搬送体を有し、
前記第１送出部は、前記下降搬送部の前記第２方向の少なくとも一側に配設され、前記下降搬送部を下降する前記搬送台の前記フォーク部間の位置に進退可能とするとともに、前記第２方向の一側に向けて搬送物を搬送可能とする複数の第１送出搬送体を有し、
前記第２送出部は、前記下降搬送部の前記第２方向の少なくとも他側に配設され、前記下降搬送部を下降する前記搬送台の前記フォーク部間の位置に進退可能とするとともに、前記第２方向の他側に向けて搬送物を搬送可能とする複数の第２送出搬送体を有する
ことを特徴とする請求項４または７記載の搬送装置。
【請求項９】
搬送台と、
前記搬送台を上昇させる上昇搬送部と、
前記上昇搬送部に向けて外部から送り込まれる搬送物を搬送して前記上昇搬送部を上昇する前記搬送台に受け渡す受渡部と
を具備し、
前記搬送台は、前記受渡部の搬送方向に沿った方向の少なくとも一側および他側の２箇所の搭載位置に搬送物を搭載可能とし、
前記受渡部は、前記受渡部の搬送方向に沿った方向の少なくとも一側および他側の２つに分割され、それぞれ独立して前記上昇搬送部に進退可能とする一側受渡部および他側受渡部を有する
ことを特徴とする搬送装置。
【請求項１０】
前記搬送台は、前記受渡部の搬送方向に対して交差する第１方向の両側に櫛歯状に設けられた複数のフォーク部を有し、
前記受渡部は、前記上昇搬送部の前記第１方向の両側に配設され、前記上昇搬送部を上昇する前記搬送台の前記フォーク部間の位置に進退可能な複数の受渡ローラを有する
ことを特徴とする請求項９記載の搬送装置。
【請求項１１】
前記搬送台は、前記受渡部の搬送方向に沿った第２方向の両側に櫛歯状に設けられた複数のフォーク部を有し、
前記受渡部は、前記上昇搬送部の前記第２方向の両側に配設され、前記上昇搬送部を上昇する前記搬送台の前記フォーク部間の位置に進退可能な複数の受渡搬送体を有する
ことを特徴とする請求項９記載の搬送装置。
【請求項１２】
長手状でかつ互いに平行状に第１方向に間隔を空けて配設され、それぞれが多階層に形成された一対の保管部と、
前記保管部の各階層に配設され、前記一対の保管部の間を前記第１方向に対して交差する第２方向に移動して各階層に対して搬送物を出し入れ可能な移送部と、
搬送物を上昇させる上昇搬送部、およびこの上昇搬送部で上昇された搬送物を下降させる下降搬送部を有し、前記上昇搬送部と前記下降搬送部とが第１方向に並ぶ搬送装置本体と、
前記上昇搬送部に接続され、前記上昇搬送部に向けて搬送物であって前記保管部に入庫される入庫品を送り込む第１搬入部と、
一方の前記保管部の各階層に対応して前記上昇搬送部に接続され、前記上昇搬送部に向けて搬送物であって前記保管部から出庫される出庫品を送り込む複数の第２搬入部と、
前記下降搬送部に接続され、前記下降搬送部から前記出庫品を受け入れる第１搬出部と、
他方の前記保管部の各階層に対応して前記下降搬送部に接続され、前記下降搬送部から前記入庫品を受け入れる複数の第２搬出部と
を備えたことを特徴とする自動倉庫システム。
【請求項１３】
前記搬送装置本体は、前記上昇搬送部を上昇するとともに前記下降搬送部を下降し、前記上昇搬送部と前記下降搬送部との間で循環移動し、前記第２方向に前記入庫品と前記出庫品を同時に載置可能な複数の領域を有する搬送台と、
前記第１搬入部から送り込まれる前記入庫品を受け入れて、前記上昇搬送部を上昇する前記搬送台に受け渡す第１受渡部と、
前記第２搬入部から送り込まれる前記出庫品を受け入れて、前記上昇搬送部を上昇する前記搬送台に受け渡す第２受渡部とを有し、
前記第１受渡部と前記第２受渡部の少なくとも一方は、受け入れた前記入庫品または前記出庫品を前記第１搬入部または前記第２搬入部から少なくとも一の搬送物の間隔を空けた搬送方向奥側の領域に搬送して、前記搬送台に前記入庫品または前記出庫品を受け渡す
ことを特徴とする請求項１２記載の自動倉庫システム。
【発明の詳細な説明】
【技術分野】
【０００１】
本発明は、搬送物を搬送する搬送装置および自動倉庫システムに関する。
【背景技術】
【０００２】
従来、例えば、垂直方向に多階層の保管部を有する自動倉庫においては、多階層の保管部に対して搬送物を垂直方向に搬送して入庫、出庫するための搬送装置が用いられている。
【０００３】
この搬送装置では、例えば、多階層の保管部のそれぞれに対向して配設される入出庫部と、入出庫部と間隔を空けて対向設置される入出庫ステーションと、入出庫部と入出庫ステーションとの間に設置された垂直搬送部とを備えている。
【０００４】
垂直搬送部は、鉛直面内で周回移動し、上昇方向と下降方向との搬送経路で搬送物を搬送する上昇搬送部と下降搬送部を有している。そして、搬送物を入庫する場合は、入出庫ステーションから上昇搬送部が搬送物を受け入れ、下降搬送部から対応する入出庫部に搬送物が送り出される。
【先行技術文献】
【特許文献】
【０００５】
【特許文献１】特開２０１６−１６６０７９号公報
【発明の概要】
【発明が解決しようとする課題】
【０００６】
ここで、搬送物を出庫する場合は、入出庫部から上昇搬送部が搬送物を受け入れ、下降搬送部から入出庫ステーションに搬送物が送り出されることになる。つまり、出庫と入庫とは逆方向の動作になるため、１つの搬送装置で搬送物の出し入れを並行して行うことはできない。
【０００７】
本発明は、上記の問題に鑑みてなされたものであり、搬送物の出し入れを並行して行うことで、搬送物を効率よく搬送できる搬送装置および自動倉庫システムを提供することを目的とする。
【課題を解決するための手段】
【０００８】
本発明の搬送装置は、搬送物を上昇させる上昇搬送部、およびこの上昇搬送部で上昇された搬送物を下降させる下降搬送部を有し、前記上昇搬送部と前記下降搬送部とが第１方向に並ぶ搬送装置本体と、前記上昇搬送部の前記第１方向に対して交差する第２方向の一側に配設され、前記上昇搬送部に向けて搬送物を送り込む第１搬入部と、前記上昇搬送部の前記第２方向の一側または他側に配設され、前記上昇搬送部に向けて搬送物を送り込む第２搬入部と、前記下降搬送部の前記第２方向の一側に配設される第１搬出部と、前記下降搬送部の前記第２方向の一側または他側に配設される第２搬出部とを具備し、前記搬送装置本体は、前記第１搬入部から送り込まれる搬送物を前記上昇搬送部から前記下降搬送部に搬送して前記第２搬出部に送り出し、前記第２搬入部から送り込まれる搬送物を前記上昇搬送部から前記下降搬送部に搬送して前記第１搬出部に送り出すものである。
【０００９】
また、本発明の搬送装置は、搬送台と、前記搬送台を上昇させる上昇搬送部と、前記上昇搬送部に向けて外部から送り込まれる搬送物を搬送して前記上昇搬送部を上昇する前記搬送台に受け渡す受渡部とを具備し、前記搬送台は、前記受渡部の搬送方向に沿った方向の少なくとも一側および他側の２箇所の搭載位置に搬送物を搭載可能とし、前記受渡部は、前記受渡部の搬送方向に沿った方向の少なくとも一側および他側の２つに分割され、それぞれ独立して前記上昇搬送部に進退可能とする一側受渡部および他側受渡部を有するものである。
【００１０】
また、本発明の自動倉庫システムは、長手状でかつ互いに平行状に第１方向に間隔を空けて配設され、それぞれが多階層に形成された一対の保管部と、前記保管部の各階層に配設され、前記一対の保管部の間を前記第１方向に対して交差する第２方向に移動して各階層に対して搬送物を出し入れ可能な移送部と、搬送物を上昇させる上昇搬送部、およびこの上昇搬送部で上昇された搬送物を下降させる下降搬送部を有し、前記上昇搬送部と前記下降搬送部とが第１方向に並ぶ搬送装置本体と、前記上昇搬送部に接続され、前記上昇搬送部に向けて搬送物であって前記保管部に入庫される入庫品を送り込む第１搬入部と、一方の前記保管部の各階層に対応して前記上昇搬送部に接続され、前記上昇搬送部に向けて搬送物であって前記保管部から出庫される出庫品を送り込む複数の第２搬入部と、前記下降搬送部に接続され、前記下降搬送部から前記出庫品を受け入れる第１搬出部と、他方の前記保管部の各階層に対応して前記下降搬送部に接続され、前記下降搬送部から前記入庫品を受け入れる複数の第２搬出部とを備えたものである。
【発明の効果】
【００１１】
本発明の搬送装置によれば、搬送物の出し入れを並行して行うことで、搬送物を効率的に搬送できる。
【図面の簡単な説明】
【００１２】
【図１】本発明の第１の実施の形態を示す搬送装置を備えた自動倉庫システムの概略平面図である。
【図２】同上搬送装置の搬送装置本体の正面図である。
【図３】同上搬送装置の第１搬入部および第１受渡部と第１搬出部および第１送出部の平面図である。
【図４】同上搬送装置の第２搬入部および第２受渡部と第２搬出部および第２送出部の平面図である。
【図５】同上搬送装置の搬送ユニットの正面図である。
【図６】同上搬送装置の搬送ユニットの側面図である。
【図７】同上搬送装置の動作を(a)〜(e)の順に示す側面図である。
【図８】同上搬送装置の図７に続く動作を(a)〜(e)の順に示す側面図である。
【図９】同上搬送装置の図８に続く動作を(a)〜(e)の順に示す側面図である。
【図１０】同上搬送装置の図９に続く動作を(a)〜(e)の順に示す側面図である。
【図１１】同上搬送装置の図１０に続く動作を(a)〜(e)の順に示す側面図である。
【図１２】同上搬送装置の図１１に続く動作を(a)〜(e)の順に示す側面図である。
【図１３】本発明の第２の実施の形態を示す搬送装置の平面図である。
【図１４】同上搬送装置の側面図である。
【図１５】同上搬送装置による入出庫の流れを示し、(a)は入庫の流れを示す平面図、(b)は出庫の流れを示す平面図である。
【図１６】同上搬送装置による入出庫の流れを示し、(a)は上昇搬送部での入出庫の流れを示す側面図、(b)は下降搬送部での入出庫の流れを示す側面図である。
【図１７】同上搬送装置による入出庫の動作タイミングを示し、(a)(b)は上昇搬送部での入庫の動作タイミングを示す側面図、(c)は上昇搬送部での出庫の動作タイミングを示す側面図である。
【図１８】同上搬送装置による入庫の動作タイミングを示し、(a)(b)は下降搬送部での入庫の動作タイミングを示す側面図である。
【図１９】同上搬送装置による入庫品が長く、搬送台に出庫品を搭載しない場合の入庫動作を示し、(a)〜(d)は上昇搬送部での第１受渡部の動作を示す側面図、(e)〜(h)は下降搬送部での第２送出部の動作を示す側面図である。
【図２０】同上搬送装置による出庫品が長く、搬送台に入庫品を搭載しない場合の出庫動作を示し、(a)〜(d)は上昇搬送部での第２受渡部の動作を示す側面図、(e)〜(g)は下降搬送部での第１送出部の動作を示す側面図である。
【図２１】同上搬送装置による入庫品が出庫品よりも長く、搬送台に入庫品と出庫品を搭載する場合の動作を示し、(a)〜(d)は上昇搬送部での第１受渡部の動作を示す側面図、(e)〜(i)は上昇搬送部での第２受渡部の動作を示す側面図である。
【図２２】同上搬送装置による出庫品が入庫品よりも長く、搬送台に入庫品と出庫品を搭載する場合の動作を示し、(a)〜(d)は上昇搬送部での第１受渡部の動作を示す側面図、(e)〜(i)は上昇搬送部での第２受渡部の動作を示す側面図である。
【図２３】同上搬送装置による出庫品が入庫品よりも長く、搬送台に入庫品と出庫品を載せる場合の図２２に続く動作を示し、(a)〜(e)は下降搬送部での第２送出部の動作を示す側面図である。
【発明を実施するための形態】
【００１３】
以下、第１の実施の形態を、図１ないし図１２を参照して説明する。
【００１４】
図１に自動倉庫システム10の概略平面図を示す。自動倉庫システム10は、倉庫本体11、およびこの倉庫本体11に対して物品である搬送物12の入庫および出庫を行う搬送装置13を備えている。
【００１５】
倉庫本体11は、長手状でかつ互いに平行状に間隔を空けて配設される２列の保管部16、およびこれら保管部16間を長手方向に沿って移動する搬送台車である移送部17を備えている。保管部16は上下方向に多階層に設けられているとともに、各階層の保管部16毎に長手方向に沿って搬送物12を保管する複数の保管領域が設けられている。移送部17は、各階層の保管部16毎に個別に設置されている。各移送部17は、両側の保管部16に対して搬送物12を出し入れする受渡機構を備えている。各移送部17は、保管部16の一端側に進入した位置で、搬送装置13に対して搬送物12の受け渡しをする。なお、保管部16に入庫する搬送物12を入庫品Ａ、保管部16から出庫する搬送物12を出庫品Ｂという。
【００１６】
また、搬送装置13は、２列の保管部16の一端部側に設置されている。なお、以下、保管部16の長手方向に対して交差する方向（２列の保管部16が並ぶ方向）を第１方向Ｘ、この第１方向Ｘに対して交差する方向を第２方向Ｙという。
【００１７】
搬送装置13は、搬送装置本体20、第１搬入部21、第２搬入部22、第１搬出部23、および第２搬出部24を備えている。
【００１８】
搬送装置本体20は、搬送物12を上昇させる上昇搬送部26、およびこの上昇搬送部26で上昇された搬送物12を下降させる下降搬送部27を有している。これら上昇搬送部26と下降搬送部27とは第１方向Ｘに並んで配設されている。上昇搬送部26は、第２方向Ｙの一側域26aと他側域26bを有する。下降搬送部27は、第２方向Ｙの一側域27aと他側域27bを有する。
【００１９】
第１搬入部21は、例えば、搬送物12を受け入れて順次送り出すことができるアキュームコンベヤなどによって構成される入口ステーションコンベヤである。第１搬入部21は、搬送装置本体20の上昇搬送部26における第２方向Ｙの一側つまり保管部16側に対して反対側で、上昇搬送部26に対して下部側の１箇所に配設されている。第１搬入部21は、保管部16に入庫する入庫品Ａを外部から受け入れて上昇搬送部26に送り込む。
【００２０】
第２搬入部22は、例えば、搬送物12を受け入れて順次送り出すことができるアキュームコンベヤなどによって構成される出庫ステーションコンベヤである。第２搬入部22は、搬送装置本体20の上昇搬送部26における第２方向Ｙの他側つまり保管部16側で、各階層の保管部16毎に対応して上下方向に複数段に配設されている。各第２搬入部22は、保管部16から出庫する搬送物12である出庫品Ｂを各移送部17から受け入れて上昇搬送部26に送り込む。
【００２１】
第１搬出部23は、例えば、搬送物12を順次受け入れて送り出すように構成された出口ステーションコンベヤである。第１搬出部23は、搬送装置本体20の下降搬送部27における第２方向Ｙの一側で、下降搬送部27に対して下部側の１箇所に配設されている。第１搬出部23は、保管部16から出庫する出庫品Ｂを下降搬送部27から受け入れて外部に送り出す。
【００２２】
第２搬出部24は、例えば、搬送物12を受け入れて順次送り出すことができるアキュームコンベヤなどによって構成される入庫ステーションコンベヤである。第２搬出部24は、搬送装置本体20の下降搬送部27における第２方向Ｙの他側で、各階層の保管部16毎に対応して上下方向に複数段に配設されている。各第２搬出部24は、保管部16に入庫する入庫品Ａを下降搬送部27から受け入れて各移送部17に受け渡す。
【００２３】
そして、搬送装置本体20は、第１搬入部21から上昇搬送部26に送り込まれる入庫品Ａを下降搬送部27から所定の第２搬出部24に送り出し、所定の第２搬入部22から上昇搬送部26に送り込まれる出庫品Ｂを下降搬送部27から第１搬出部23に送り出すように動作する。さらに、搬送装置本体20では、入庫品Ａの入庫と出庫品Ｂの出庫とを並行して処理するように動作する。
【００２４】
次に、図２に搬送装置本体20の正面図を示す。
【００２５】
搬送装置本体20は、フレーム30、搬送機構31、第１受渡部32、受渡部である第２受渡部33、第１送出部34、および第２送出部35を備えている。
【００２６】
フレーム30は、倉庫本体11とともに設置面上に立設されている。
【００２７】
また、搬送機構31は、フレーム30に設置されている。搬送機構31は、複数の搬送台37、およびこれら搬送台37を上昇搬送部26と下降搬送部27との間で循環移動させる機構部38を備えている。
【００２８】
搬送台37の構成を図３および図４に示す。なお、図３は搬送機構31の下部側に配置される第１搬入部21および第１受渡部32と第１搬出部23および第１送出部34の平面図であり、図４には搬送機構31の上部側に配置される第２搬入部22および第２受渡部33と第２搬出部24および第２送出部35の平面図である。
【００２９】
搬送台37には、第２方向Ｙの２箇所（受渡部の搬送方向の２箇所）に搬送物12を搭載可能とする搭載位置40が設けられている。２箇所の搭載位置40は、搬送台37の第２方向Ｙの一側（第１搬入部21および第１搬出部23側）が出庫品搭載位置である一側搭載位置40aであり、他側（第２搬入部22および第２搬出部24側）が入庫品搭載位置である他側搭載位置40bである。搬送台37の一側搭載位置40aは上昇搬送部26の一側域26aおよび下降搬送部27の一側域27aを移動し、搬送台37の他側搭載位置40bは上昇搬送部26の他側域26bおよび下降搬送部27の他側域27bを移動する。
【００３０】
搬送台37は、第１方向Ｘの両側が櫛歯状に設けられている。すなわち、搬送台37は、第１方向Ｘの中央の台部41、およびこの台部41から第１方向Ｘの両側に櫛歯状に突出された複数のフォーク部42を有している。複数のフォーク部42間は、上下方向および外側方に開口されている。
【００３１】
搬送台37の各搭載位置40a，40bにおける第１方向Ｘの両側および第２方向Ｙの両側に、各搭載位置40a，40bに搭載された搬送物12の位置ずれを規制する規制部43，44が上方に突設されている。規制部43は、各フォーク部42の先端から上方に突設されている。
【００３２】
搬送台37の第２方向Ｙの両側には、一対の内側連結部45および一対の外側連結部46が設けられている。一対の内側連結部45は、搬送台37の第１方向Ｘの一側に設けられている。一対の外側連結部46は、一対の内側連結部45よりも第２方向Ｙの外側で、一対の内側連結部45に取り付けられた一対の支持部材47によって第１方向Ｘの他側に設けられている。
【００３３】
機構部38は、図２ないし図４に示すように、フレーム30の上下４箇所に回転可能に配設された各一対の内側スプロケット49、これら各一対の内側スプロケット49に張設された一対の内側チェーン50、フレーム30の上下４箇所に回転可能に配設された各一対の外側スプロケット51、およびこれら各一対の外側スプロケット51に張設された一対の外側チェーン52を有している。
【００３４】
第２方向Ｙに対して、各一対の内側スプロケット49および一対の内側チェーン50は内側、各一対の外側スプロケット51および一対の外側チェーン52は外側に配設されている。搬送装置本体20が備える上昇搬送部26および下降搬送部27における第１方向Ｘの一側（図２右側）に沿って一対の内側チェーン50が上下方向に張設され、上昇搬送部26および下降搬送部27における第１方向Ｘの他側（図２左側）に沿って一対の外側チェーン52が上下方向に張設されている。
【００３５】
各搬送台37の一対の内側連結部45が一対の内側チェーン50に連結されているとともに、一対の外側連結部46が一対の外側チェーン52に連結されている。各搬送台37は、一対の内側チェーン50および一対の外側チェーン52に支持されて水平状態に保たれている。
【００３６】
なお、上昇搬送部26と下降搬送部27との上端間には、上昇搬送部26から下降搬送部27に搬送台37が水平移動する上側搬送部53が配設されている。上昇搬送部26と下降搬送部27との下端間には、下降搬送部27から上昇搬送部26に搬送台37が水平移動する下側搬送部54が配設されている。下側搬送部54は、搬送台37のみが移動し、搬送物12が移動することはない。
【００３７】
そして、機構部38では、フレーム30に設置されたモータ55によって内側スプロケット49および外側スプロケット51が連動して回転駆動されることにより、一対の内側チェーン50および一対の外側チェーン52が連動して回動され、複数の搬送台37が水平状態を保ったまま、上昇搬送部26、上側搬送部53、下降搬送部27および下側搬送部54に亘って循環移動する。搬送台37が循環移動する方向は、搬送台37が上昇搬送部26を上昇し、下降搬送部27を下降する一方向である。
【００３８】
また、第１受渡部32は、図２に示すように、上昇搬送部26の下部側（最下部）で、搬送台37の上昇経路に配設されている。第１受渡部32は、第１搬入部21によって送り込まれる入庫品Ａを受け入れて搬送し、上昇搬送部26の下側から上昇してくる搬送台37に受け渡す。本実施の形態では、第１受渡部32は、図３において、受け入れた入庫品Ａを第１搬入部21から１つの搬送物12（出庫品Ｂ）の間隔を空けた奥側の領域（上昇搬送部26の他側域26b）に搬送して、搬送台37の他側搭載位置40bに入庫品Ａを受け渡す。
【００３９】
第１受渡部32は、図２および図３に示すように、上昇搬送部26の第１方向Ｘの両側に配設されている。第１受渡部32は、複数の第１受渡ローラ58、これら第１受渡ローラ58を支持する支持部59、および第１受渡部32上に受け入れて搬送する入庫品Ａを案内するガイド部60a，60bを備えている。
【００４０】
第１受渡ローラ58は、上昇搬送部26の一側域26aおよび他側域26bに、第１方向Ｘを軸方向とし、第２方向Ｙに所定の間隔をあけて配置されている。第１受渡ローラ58は、上昇搬送部26を上昇する搬送台37と干渉しないように、搬送台37の複数のフォーク部42間の位置に対応して配置されている。
【００４１】
第１受渡ローラ58は、モータを内蔵し、このモータによって外周のローラを回転させるモータローラによって構成されている。なお、第１受渡ローラ58は、モータを内蔵しないローラを用い、このローラにモータからの回転駆動力をベルトなどによって伝達するようにしてもよい。そして、第１受渡ローラ58は、上昇搬送部26の一側の第１搬入部21から送り込まれる入庫品Ａを、上昇搬送部26の他側に向けた方向であって、第２方向Ｙに沿った第１搬入方向Y1に向けて搬送する。
【００４２】
支持部59は、フレーム30に配設され、複数の第１受渡ローラ58を固定位置に支持する。支持部59は、複数の第１受渡ローラ58を固定位置に支持するため、どのような構成であってもよい。本実施の形態の支持部59は、第２受渡部33などと一部を共用した構成となっている。
【００４３】
ガイド部60a，60bは、第１受渡ローラ58の上方に配置されて支持部59に固定されている。ガイド部60a，60bにより、第１搬入部21から第１受渡部32に送り込まれて第１搬入方向Y1に搬送する入庫品Ａの第１方向Ｘの位置を、搬送台37に受け渡す所定の位置に位置決めする。ガイド部60bの第１搬入方向Y1の端部には、第１搬入方向Y1への入庫品Ａの搬送を規制するストッパ61が設けられている。
【００４４】
第１搬入部21と第１受渡部32との間には、入庫品Ａを第１搬入部21から第１受渡部32に乗り移らせるための複数の乗り移りローラ62が回転自在に配設されている。なお、隣り合う乗り移りローラ62間を搬送台37の支持部材47が通過し、乗り移りローラ62と搬送台37とが干渉することがない。
【００４５】
また、第２受渡部33は、図２に示すように、上昇搬送部26の第１受渡部32よりも上方で、搬送台37の上昇経路に配設されている。第２受渡部33は、上下方向に複数段に配設される第２搬入部22の位置に対応して、上昇搬送部26に対して上下方向に複数段に配設されている。本実施の形態の第２受渡部33は、例えば、上下方向に８段に配設されている。
【００４６】
第２受渡部33は、第２搬入部22によって送り込まれる出庫品Ｂを受け入れて搬送し、上昇搬送部26の下側から上昇してくる搬送台37に受け渡す。本実施の形態では、第２受渡部33は、受け入れた出庫品Ｂを第２搬入部22から１つの搬送物12（入庫品Ａ）の間隔を空けた奥側の領域（上昇搬送部26の一側域26a）に搬送して、搬送台37の一側搭載位置40aに出庫品Ｂを受け渡す。
【００４７】
第２受渡部33は、図２および図４に示すように、上昇搬送部26の第１方向Ｘの両側に配置されている。第２受渡部33は、上昇搬送部26の一側域26aと他側域26b、および搬送台37の一側搭載位置40aと他側搭載位置40bに対応して、第２方向Ｙの一側と他側の２つに分割された一側受渡部33aと他側受渡部33bを有している。
【００４８】
第２受渡部33（一側受渡部33aおよび他側受渡部33b）は、複数の受渡ローラである第２受渡ローラ65を備えている。第２受渡部33（一側受渡部33aおよび他側受渡部33b）は、支持部66により上昇搬送部26に対して進退可能に支持されている。第２受渡部33（一側受渡部33aおよび他側受渡部33b）上には、第２受渡部33（一側受渡部33aおよび他側受渡部33b）上に受け入れて搬送する出庫品Ｂを案内するガイド部67a，67bが配設されている。
【００４９】
第２受渡ローラ65は、支持部66により、第１方向Ｘを軸方向とし、第２方向Ｙに所定の間隔をあけて配置されている。第２受渡ローラ65は、支持部66により、上昇搬送部26内に進退可能とするとともに、進入した際に上昇搬送部26を上昇する搬送台37と干渉しないように搬送台37の複数のフォーク部42間の位置に対応して配置されている。すなわち、第２受渡部33（一側受渡部33aおよび他側受渡部33b）には、上昇搬送部26を上昇する搬送台37に櫛歯状に配置されている複数のフォーク部42と干渉しないように、複数の第２受渡ローラ65が櫛歯状に配置されている。
【００５０】
第２受渡ローラ65は、モータを内蔵し、このモータによって外周のローラを回転させるモータローラによって構成されている。なお、第２受渡ローラ65は、モータを内蔵しないローラを用い、このローラにモータからの回転駆動力をベルトなどによって伝達するようにしてもよい。そして、第２受渡ローラ65は、上昇搬送部26の他側の第２搬入部22から送り込まれる出庫品Ｂを、上昇搬送部26の一側に向けた方向であって、第２方向Ｙに沿った第２搬入方向Y2に向けて搬送する。
【００５１】
支持部66は、図４ないし図６に示すように、フレーム30に固定されるベース68、このベース68上に第１方向Ｘに沿って配設された複数のレール69、これらレール69に沿って第１方向Ｘにスライドする移動部70、およびベース68に対して移動部70を第１方向Ｘに移動させるシリンダ71を備えている。移動部70は、上昇搬送部26に進入した際に搬送台37と干渉しないように複数の第２受渡ローラ65を支持している。そして、シリンダ71の駆動により、複数の第２受渡ローラ65が、第１方向Ｘに沿ってスライドし、上昇搬送部26内に進入した進入位置と上昇搬送部26から退避した退避位置（図４に示す位置）との間で進退可能とする。さらに、支持部66では、一側受渡部33aおよび他側受渡部33bをそれぞれ独立して上昇搬送部26に対して進退可能とする。
【００５２】
なお、最下段の第２受渡部33の他側受渡部33bに用いられるシリンダ71は、他の第２受渡部33に用いられるシリンダ71よりも、少なくとも上昇搬送部26からの第２受渡ローラ65の退避移動を高速で行うことができる高速駆動シリンダが用いられている。
【００５３】
ガイド部67a，67bは、第２受渡ローラ65の上方に配置されて移動部70に固定されている。ガイド部67a，67bは、第２受渡ローラ65および移動部70と一体に移動する。ガイド部67a，67bにより、第２搬入部22から第２受渡部33に送り込まれて第２搬入方向Y2に搬送する出庫品Ｂの第１方向Ｘの位置を、搬送台37に受け渡す所定の位置に位置決めする。ガイド部67aの第２搬入方向Y2の端部には、第２搬入方向Y2への出庫品Ｂの搬送を規制するストッパ72が設けられている。
【００５４】
第２搬入部22と第２受渡部33との間には、出庫品Ｂを第２搬入部22から第２受渡部33に乗り移らせるための複数の乗り移りローラ73が回転自在に配設されている。なお、隣り合う乗り移りローラ73間を搬送台37の支持部材47が通過し、乗り移りローラ73と搬送台37とが干渉することがない。
【００５５】
なお、第１受渡部32の支持部59は、第２受渡部33の支持部66の構成の一部を共用して構成されている。支持部59では、複数の第１受渡ローラ58を固定位置に配置するため、シリンダ71などは用いられていない。
【００５６】
また、図２に示すように、第１送出部34は、下降搬送部27の下部側（最下部）に配設されている。第１送出部34は、下降搬送部27の上側から下降してくる搬送台37に搭載された出庫品Ｂを受け取って第１搬出部23に送り出す。
【００５７】
図２および図３に示すように、第１送出部34は、下降搬送部27の第１方向Ｘの両側に配設されている。第１送出部34は、複数の第１送出ローラ76、およびこれら第１送出ローラ76を支持する支持部77を備えている。さらに、第１送出部34は、第１送出部34から第１搬出部23に送り出す出庫品Ｂを案内するガイド部78を備えている。
【００５８】
第１送出ローラ76は、下降搬送部27の一側域27aおよび他側域27bに、第１方向Ｘを軸方向とし、第２方向Ｙに所定の間隔をあけて配置されている。第１送出ローラ76は、下降搬送部27を下降する搬送台37と干渉しないように、搬送台37の複数のフォーク部42間の位置に対応して配置されている。
【００５９】
第１送出ローラ76は、モータを内蔵し、このモータによって外周のローラを回転させるモータローラによって構成されている。なお、第１送出ローラ76は、モータを内蔵しないローラを用い、このローラにモータからの回転駆動力をベルトなどによって伝達するようにしてもよい。そして、第１送出ローラ76は、搬送台37から受け取った出庫品Ｂを、下降搬送部27の一側の第１搬出部23に向けた方向であって、第２方向Ｙに沿った第１送出方向Y3に向けて搬送する。
【００６０】
支持部77は、フレーム30に配設され、複数の第１送出ローラ76を固定位置に支持する。支持部77は、複数の第１送出ローラ76を固定位置に支持するため、どのような構成であってもよい。本実施の形態の支持部77は、第１受渡部32と共通であって、上述した第２受渡部33などと一部を共用した構成となっている。
【００６１】
ガイド部78は、第１送出ローラ76の上方に配置されて支持部77に固定されている。ガイド部78により、第１送出部34から第１搬出部23に送り出す出庫品Ｂの第１方向Ｘの位置を位置決めするように案内する。
【００６２】
第１送出部34と第１搬出部23との間には、出庫品Ｂを第１送出部34から第１搬出部23に乗り移らせるための複数の乗り移りローラ79が回転自在に配設されている。なお、隣り合う乗り移りローラ79間を搬送台37の支持部材47が通過し、乗り移りローラ79と搬送台37とが干渉することがない。
【００６３】
また、図２に示すように、第２送出部35は、下降搬送部27の第１送出部34よりも上方に配設されている。第２送出部35は、上下方向に複数段に配設される第２搬出部24の位置に対応して、下降搬送部27に対して上下方向に複数段に配設されている。本実施の形態の第２送出部35は、第２受渡部33と同じく、例えば、上下方向に８段に配設されている。
【００６４】
図２および図４に示すように、第２送出部35は、下降搬送部27の第１方向Ｘの両側に配置されている。第２送出部35は、下降搬送部27の他側域27b、および搬送台37の他側搭載位置40bのみに対応して、下降搬送部27の第２方向Ｙの他側つまり第２搬出部24側にのみ配設されており、下降搬送部27の第２方向Ｙの一側つまり第２搬出部24とは反対側には配設されていない。
【００６５】
第２送出部35は、複数の第２送出ローラ81を備えている。第２送出部35は、支持部82により下降搬送部27に対して進退可能に支持されている。第２送出部35上には、第２送出部35上に受け取る入庫品Ａを案内するガイド部83が配設されている。
【００６６】
第２送出ローラ81は、支持部82により、第１方向Ｘを軸方向とし、第２方向Ｙに所定の間隔をあけて配置されている。第２送出ローラ81は、支持部82により、下降搬送部27内に進退可能とするとともに、進入した際に下降搬送部27を下降する搬送台37と干渉しないように搬送台37の複数のフォーク部42間の位置に対応して配置されている。すなわち、第２送出部35には、下降搬送部27を下降する搬送台37の櫛歯状に配置されている複数のフォーク部42と干渉しないように、複数の第２送出ローラ81が櫛歯状に配置されている。
【００６７】
第２送出ローラ81は、モータを内蔵し、このモータによって外周のローラを回転させるモータローラによって構成されている。なお、第２送出ローラ81は、モータを内蔵しないローラを用い、このローラにモータからの回転駆動力をベルトなどによって伝達するようにしてもよい。そして、第２送出ローラ81は、搬送台37から受け取った入庫品Ａを、下降搬送部27の他側の第２搬出部24に向けて方向であって、第２方向Ｙに沿った第２送出方向Y4に向けて搬送する。
【００６８】
支持部82は、例えば第２受渡部33の他側受渡部33bの上述した支持部66と共通の構成を備えている。そのため、支持部82の構成には、同じ支持部66の構成の符号を付す。そして、シリンダ71の駆動により、複数の第２送出ローラ81が、第１方向Ｘに沿ってスライドし、下降搬送部27内に進入した進入位置（図４に示す位置）と下降搬送部27から退避した退避位置との間で進退可能とする。
【００６９】
ガイド部83は、第２送出ローラ81の上方に配置されて移動部70に固定されている。ガイド部83は、第２送出ローラ81および移動部70と一体に移動する。ガイド部83により、第２送出部35から第２搬出部24に送り出す入庫品Ａの第１方向Ｘの位置を位置決めするように案内する。
【００７０】
第２送出部35と第２搬出部24との間には、入庫品Ａを第２送出部35から第２搬出部24に乗り移らせるための複数の乗り移りローラ84が回転自在に配設されている。なお、隣り合う乗り移りローラ84間を搬送台37の支持部材47が通過し、乗り移りローラ84と搬送台37とが干渉することがない。
【００７１】
次に、搬送装置13の動作を図７ないし図１２を参照して説明する。図７ないし図１２の各(a)〜(e)は、搬送装置13の側面図であって、図２の搬送装置13を左側から見た側面図である。
【００７２】
そして、搬送装置13は、入庫品Ａの入庫処理と出庫品Ｂの出庫処理とを並行して行うように動作する。
【００７３】
まず、図７ないし図１０を参照して、上昇搬送部26での入庫品Ａおよび出庫品Ｂの処理動作を説明する。
【００７４】
なお、上昇搬送部26には、第１受渡部32および複数の第２受渡部33の各位置に対応して、上昇する搬送台37の位置を検知する複数の搬送台検知用センサP1-1，P1-2…と、搬入される搬送物12の位置を検知する複数の搬送物検知用センサP2-1，P2-2…と、搬入される搬送物12の停止位置を検知する複数の停止用センサP3-1，P3-2…とが設置されている。
【００７５】
図７(a)に示すように、例えば、第１搬入部21に入庫品A1が搬入され、最下段の第２搬入部22に出庫品B1が搬入され、下から２段目の第２搬入部22に出庫品B2が搬入された状態にある。さらに、入庫品A1を搭載予定の搬送台37の１つ前の搬送台37が、第１受渡部32を上方に通過している状態にある。そして、出庫品B1および出庫品B2の出庫順序は、出庫品B1、出庫品B2の順に設定されているものとする。
【００７６】
図７(b)に示すように、１つ前の搬送台37が第１受渡部32上に送り込まれる入庫品A1と干渉しない位置まで上昇すると、その１つ前の搬送台37を搬送台検知用センサP1-1が検知する。この搬送台検知用センサP1-1の検知に基づき、第１受渡部32の第１受渡ローラ58を回転駆動するとともに、第１搬入部21から第１受渡部32への入庫品A1の搬入を開始する。
【００７７】
図７(c)に示すように、搬送台検知用センサP1-1が１つ前の搬送台37の通過を検知した後、上昇搬送部26内の進入位置へ向けて最下段の第２受渡部33の第２受渡ローラ65を移動開始する。
【００７８】
図７(d)に示すように、第１受渡部32は、第１搬入部21から受け入れた入庫品A1を搬送台37の他側搭載位置40bに受け渡す位置へ向けて搬送する。第１搬入部21には次に入庫する入庫品A2が搬入される。
【００７９】
最下段の第２受渡部33の第２受渡ローラ65が上昇搬送部26内に進入する。１つ前の搬送台37が最下段の第２受渡部33上に送り込まれる出庫品B1と干渉しない位置まで上昇すると、その１つ前の搬送台37を搬送台検知用センサP1-2が検知する。この搬送台検知用センサP1-2の検知に基づき、最下段の第２受渡部33の第２受渡ローラ65を回転駆動するとともに、最下段の第２搬入部22から最下段の第２受渡部33への出庫品B1の搬入を開始する。
【００８０】
図７(e)に示すように、第１受渡部32によって搬送する入庫品A1の通過を搬送物検知用センサP2-1が検知した後、停止用センサP3-1が入庫品A1を検知すると、第１受渡部32による入庫品A1の搬送を停止（第１受渡ローラ58を回転停止）する。これにより、第１受渡部32上の入庫品A1は搬送台37の他側搭載位置40bに受け渡す位置に配置される。
【００８１】
図８(a)に示すように、最下段の第２受渡部33は、第２搬入部22から受け入れた出庫品B1を、搬送台37の一側搭載位置40aに受け渡す位置へ向けて、つまり他側受渡部33bから一側受渡部33aへ向けて搬送する。
【００８２】
図８(b)に示すように、最下段の第２受渡部33によって搬送する出庫品B1が他側受渡部33bから一側受渡部33aに乗り移り、その出庫品B1の通過を搬送物検知用センサP2-2が検知すると、他側受渡部33bの第２受渡ローラ65を回転停止させるとともに、他側受渡部33bを上昇搬送部26内から退避させる。このとき、最下段の第２受渡部33の他側受渡部33bには、シリンダ71として高速駆動シリンダを用いていることにより、他側受渡部33bを上昇搬送部26内から高速で退避移動させる。これは、他側受渡部33bの直ぐ下に位置する第１受渡部32上の入庫品A1が搬送台37で上昇されてくるためで、他側受渡部33bと入庫品A1との干渉を確実に防止するためである。
【００８３】
最下段の第２受渡部33の一側受渡部33aによって搬送する出庫品B1を停止用センサP3-2が検知すると、その一側受渡部33aによる出庫品B1の搬送を停止（第２受渡ローラ65を回転停止）する。これにより、出庫品B1は、一側受渡部33a上であって、搬送台37の一側搭載位置40aに受け渡す位置に配置される。
【００８４】
図８(c)に示すように、最下段の第２受渡部33の他側受渡部33bは、入庫品A1が上昇する前に、上昇搬送部26からの退避を完了する。
【００８５】
図８(d)に示すように、上昇搬送部26の下部側から上昇してくる搬送台37の他側搭載位置40bに第１受渡部32上の入庫品A1を受け取り、搬送台37で入庫品A1を上昇させる。
【００８６】
図８(e)に示すように、入庫品A1を搭載した搬送台37が第１受渡部32上に次に送り込まれる入庫品A2と干渉しない位置まで上昇すると、その入庫品A1を搭載した搬送台37を搬送台検知用センサP1-1が検知する。この搬送台検知用センサP1-1の検知に基づき、第１受渡部32の第１受渡ローラ58を回転駆動するとともに、第１搬入部21から第１受渡部32への次の入庫品A2の搬入を開始する。
【００８７】
そして、以降の入庫品A2，A3，A4…についても、入庫品A1と同様にして、上昇搬送部26を上昇する搬送台37に搭載する。
【００８８】
図９(a)に示すように、入庫品A1を搭載した搬送台37の一側搭載位置40aに最下段の第２受渡部33の一側受渡部33a上に配置されている出庫品B1を受け取り、搬送台37で出庫品B1を上昇させる。したがって、１つの搬送台37に入庫品A1と出庫品B1を一緒に搭載するとともに、第２搬出部24側となる搬送台37の他側搭載位置40bに入庫品A1を搭載し、第１搬出部23側となる搬送台37の一側搭載位置40aに出庫品B1を搭載する。
【００８９】
図９(b)に示すように、入庫品A1および出庫品B1を搭載した搬送台37を搬送台検知用センサP1-2が検知すると、最下段の第２受渡部33の一側受渡部33aを上昇搬送部26内から退避させる。
【００９０】
図９(c)に示すように、搬送台検知用センサP1-2が入庫品A1および出庫品B1を搭載した搬送台37の通過を検知した後、上昇搬送部26内の進入位置へ向けた下から２段目の第２受渡部33の第２受渡ローラ65を移動開始する。
【００９１】
図９(d)に示すように、下から２段目の第２受渡部33の第２受渡ローラ65が上昇搬送部26内に進入する。入庫品A1および出庫品B1を搭載した搬送台37が下から２段目の第２受渡部33上に送り込まれる出庫品B2と干渉しない位置まで上昇すると、その入庫品A1および出庫品B1を搭載した搬送台37を搬送台検知用センサP1-3が検知する。この搬送台検知用センサP1-3の検知に基づき、下から２段目の第２受渡部33の第２受渡ローラ65を回転駆動するとともに、下から２段目の第２搬入部22から下から２段目の第２受渡部33への出庫品B2の搬入を開始する。
【００９２】
図９(e)および図１０(a)に示すように、下から２段目の第２受渡部33は、第２搬入部22から受け入れた出庫品B2を、搬送台37の一側搭載位置40aに受け渡す位置へ向けて、つまり他側受渡部33bから一側受渡部33aへ向けて搬送する。
【００９３】
図１０(b)に示すように、下から２段目の第２受渡部33によって搬送する出庫品B2が他側受渡部33bから一側受渡部33aに乗り移り、その出庫品B2の通過を搬送物検知用センサP2-3が検知すると、他側受渡部33bの第２受渡ローラ65を回転停止させるとともに、他側受渡部33bを上昇搬送部26内から退避させる。
【００９４】
下から２段目の第２受渡部33の一側受渡部33aによって搬送する出庫品B2を停止用センサP3-3が検知すると、その一側受渡部33aによる出庫品B1の搬送を停止（第２受渡ローラ65を回転停止）する。これにより、出庫品B2は、一側受渡部33a上であって、搬送台37の一側搭載位置40aに受け渡す位置に配置される。
【００９５】
図１０(c)に示すように、最下段から一段上の第２受渡部33の他側受渡部33bは、入庫品A2が上昇する前に、上昇搬送部26からの退避を完了する。
【００９６】
図１０(d)(e)の順に示すように、入庫品A2を搭載した搬送台37の一側搭載位置40aに下から２段目の第２受渡部33の一側受渡部33a上に配置されている出庫品B2を受け取り、搬送台37で出庫品B2を上昇させる。したがって、１つの搬送台37に入庫品A2と出庫品B2を一緒に搭載するとともに、第２搬出部24側となる搬送台37の他側搭載位置40bに入庫品A2を搭載し、第１搬出部23側となる搬送台37の一側搭載位置40aに出庫品B2を搭載する。
【００９７】
そして、以降の出庫品B3…についても、出庫品B1，B2と同様にして、上昇搬送部26を上昇する搬送台37に搭載する。例えば、出庫品B3は、下から６段目の第２搬入部22にあり、最下段および下から２段目と同様に、下から６段目の第２受渡部33によって搬送台37に受け渡す。
【００９８】
なお、搬送台37には、必ずしも入庫品Ａと出庫品Ｂとが搭載されるとは限らず、入庫品Ａのみ搭載される場合、出庫品Ｂのみ搭載される場合、入庫品Ａおよび出庫品Ｂとも搭載されない場合もある。
【００９９】
次に、図１１および図１２は下降搬送部27での入庫品Ａおよび出庫品Ｂの処理動作を説明する。
【０１００】
なお、下降搬送部27には、第１送出部34および第２送出部35の各位置に対応して、第１搬出部23および第２搬出部24への搬送物12の送り出しを検知する複数の送出検知用センサP4-1，P4-2，P4-3…と、下降する搬送台37の位置を検知する複数の搬送台検知用センサP5-1，P5-2，P5-3…とが設置されている。
【０１０１】
図１１(a)に示すように、例えば、入庫品A1は、下から３段目の第２搬出部24に仕分けるように設定されているものとする。仮に、入庫品A1を搭載した搬送台37に先行して下降する１つ前の搬送台37に別の入庫品Ａが搭載されていたとしても、その入庫品Ａが下から３段目の第２送出部35と干渉しない高さ位置まで下降すると、その１つ前の搬送台37を搬送台検知用センサP5-3が検知する。この搬送台検知用センサP5-3の検知に基づき、下から３段目の第２送出部35の第２送出ローラ81を下降搬送部27内に進入させるとともに、第２送出ローラ81を回転駆動する。
【０１０２】
図１１(b)に示すように、下から３段目の第２送出部35により、下降する搬送台37の他側搭載位置40bに搭載されている入庫品A1を受け取るとともに、下から３段目の第２搬出部24へ向けて送り出す。
【０１０３】
図１１(c)に示すように、下から３段目の第２搬出部24に入庫品A1を受け渡した搬送台37の一側搭載位置40aには出庫品B1が搭載されており、この出庫品B1は第２送出部35の一側を通過して下降する。
【０１０４】
図１１(d)(e)に示すように、入庫品A1が下から３段目の第２搬出部24に送り出されたことを送出検知用センサP4-4で検知すると、下から３段目の第２送出部35を下降搬送部27内から退避移動させるとともに、第２送出ローラ81を回転停止させる。なお、次の搬送台37で搬送されてくる入庫品A2も、同じく下から３段目の第２搬出部24に仕分ける場合には、第２送出部35は退避移動させなくてもよい。
【０１０５】
図１２(a)(b)に示すように、例えば、入庫品A2は、下から２段目の第２搬出部24に仕分けるように設定されているものとする。仮に、入庫品A2を搭載した搬送台37に先行して下降する１つ前の搬送台37に別の入庫品Ａが搭載されていたとしても、その入庫品Ａが下から２段目の第２送出部35と干渉しない高さ位置まで下降すると、その１つ前の搬送台37を搬送台検知用センサP5-2が検知する。この搬送台検知用センサP5-2の検知に基づき、下から２段目の第２送出部35の第２送出ローラ81を下降搬送部27内に進入させるとともに、第２送出ローラ81を回転駆動する。
【０１０６】
図１２(c)に示すように、第１送出部34により、下降する搬送台37の一側搭載位置40aに搭載されている出庫品B1を受け取るとともに、第１搬出部23へ向けて送り出す。
【０１０７】
図１２(d)に示すように、送出検知用センサP4-1の検知に基づき、出庫品B1が第１搬出部23に送り出されたことを確認する。
【０１０８】
図１２(e)に示すように、下から２段目の第２送出部35により、下降する搬送台37の他側搭載位置40bに搭載されている入庫品A2を受け取るとともに、下から２段目の第２搬出部24へ向けて送り出す。
【０１０９】
なお、搬送台37の他側搭載位置40bが通過する第１送出部34の第２方向Ｙの他側は、通常時には搬送物12の搬送に使用されることはないが、例えば倉庫本体11側の故障や第２送出部35の故障などで、搬送台37から第２搬出部24側に送り出されず、搬送台37とともに下降する入庫品Ａが生じた異常時には、搬送台37の他側搭載位置40bから入庫品Ａを受け取って第１搬出部23に送り出すことができる。
【０１１０】
そして、以降の入庫品A3…、出庫品B2，B3…についても、入庫品A1、出庫品B1と同様にして、処理する。
【０１１１】
また、第２搬出部24に送り出された入庫品A1，A2…は、倉庫本体11の移送部17に受け渡されて所定の保管部16に保管される。
【０１１２】
以上のように、本実施の形態の搬送装置13では、搬送装置本体20により、第１搬入部21から上昇搬送部26に送り込まれる入庫品Ａを下降搬送部27から第２搬出部24に送り出し、第２搬入部22から上昇搬送部26に送り込まれる出庫品Ｂを下降搬送部27から第１搬出部23に送り出すことにより、入庫品Ａの入庫と出庫品Ｂの出庫とを並行して行うことができる。
【０１１３】
すなわち、搬送装置13によれば、１つの搬送装置本体20によって、搬送装置本体20の一側から他側への搬送物12（入庫品Ａ）の搬送と、搬送装置本体20の他側から一側への搬送物12（出庫品Ｂ）の搬送とが並行して可能となり、省スペースで、搬送物12を効率的に搬送できる。
【０１１４】
また、搬送台37は一側と他側の２箇所に搬送物12を搭載する搭載位置40を備えるため、搬送装置本体20の一側から他側に搬送する搬送物12（入庫品Ａ）と、搬送装置本体20の他側から一側に搬送する搬送物12（出庫品Ｂ）とを一緒に搭載して搬送でき、搬送物12をより効率的に搬送できる。
【０１１５】
さらに、搬送台37の一側の搭載位置40には、搬送装置本体20の他側から一側の第１搬出部23に送り出す搬送物12（出庫品Ｂ）を搭載すること、および、搬送台37の他側の搭載位置40には、搬送装置本体20の一側から他側の第２搬出部24に送り出す搬送物12（入庫品Ａ）を搭載することにより、搬送台37から第１搬出部23への搬送物12（出庫品Ｂ）の搬送と、搬送台37から第２搬出部24への搬送物12（入庫品Ａ）の搬送とを並行して行うことができる。
【０１１６】
さらに、第２受渡部33は、上昇搬送部26に対して進退可能とする一側受渡部33aおよび他側受渡部33bを有し、これら一側受渡部33aおよび他側受渡部33bの進入時に、第２搬入部22から上昇搬送部26に送り込まれる搬送物12（出庫品Ｂ）を一側受渡部33a上に搬送して上昇搬送部26を上昇する搬送台37の一側の搭載位置40（一側搭載位置40a）に受け渡すことができ、かつ、他側受渡部33bの退避時に、上昇搬送部26を上昇する搬送台37の他側の搭載位置40（他側搭載位置40b）に搭載された搬送物12（入庫品Ａ）を通過させることができる。
【０１１７】
また、搬送台37の第１方向Ｘの両側に複数のフォーク部42を櫛歯状に設け、第２受渡部33の複数の第２受渡ローラ65を上昇搬送部26の第１方向Ｘの両側から、搬送台37の両側のフォーク部42間の位置に進退させるように構成し、および、第２送出部35の複数の第２送出ローラ81を下降搬送部27の第１方向Ｘの両側から、搬送台37の両側のフォーク部42間の位置に進退させるように構成したため、第２受渡ローラ65および第２送出ローラ81の進退移動のストロークが短く、第２受渡ローラ65および第２送出ローラ81を進入位置と退避位置との間で短時間に移動させることができる。そのため、搬送物12の搬送速度を速くしても、第２受渡部33および第２送出部35の進退の切り換えが可能で、搬送装置13の搬送効率を向上できる。
【０１１８】
なお、上記実施の形態の搬送装置13において、第１受渡部32により、第１搬入部21から２個の入庫品Ａを受け取り、搬送台37の２箇所の搭載位置40に２個の入庫品Ａを一緒に受け渡し、さらに、第２送出部35により、搬送台37の２箇所の搭載位置40から２個の入庫品Ａを受け取って第２搬出部24に一緒に送り出すようにしてもよい。この場合、第２送出部35は、第２受渡部33と同様に、搬送台37の２箇所の搭載位置40に対応して第２方向Ｙに２つに分割して配設し、それぞれが下降搬送部27に対して進退可能に構成すればよい。
【０１１９】
同様に、第２受渡部33により、第２搬入部22から搬入される２個の出庫品Ｂを一緒に受け取り、搬送台37の２箇所の搭載位置40に２個の出庫品Ｂを一緒に受け渡し、さらに、第１送出部34により、搬送台37の２箇所の搭載位置40から２個の出庫品Ｂを受け取って第１搬出部23に一緒に送り出すようにしてもよい。
【０１２０】
さらに、搬送台37には、第２方向Ｙに３箇所以上の搭載位置40を設け、複数の入庫品Ａまたは複数の出庫品Ｂを一緒に搬送するようにしてもよい。
【０１２１】
また、上昇搬送部26に対して進退可能とする第２受渡部33の第２受渡ローラ65、および下降搬送部27に対して進退可能とする第２送出部35の第２送出ローラ81は、第１方向Ｘに沿ってスライドする構成に限らず、上昇搬送部26内に進入する第２受渡ローラ65の端部側、および下降搬送部27内に進入する第２送出ローラ81の端部側が、上下に揺動する構成としてもよい。
【０１２２】
また、搬送装置13は、自動倉庫システム10への適用に限らず、搬送装置本体20の一側から他側への搬送物12の搬送と、搬送装置本体20の他側から一側への搬送物12の搬送とを行う他の搬送システムなどにも適用できる。
【０１２３】
また、搬送装置13は、図１に示すように第１搬入部21と第１搬出部23が第２方向Ｙの一側、第２搬入部22と第２搬出部24が第２方向Ｙの他側に位置するレイアウトとして説明したが、第１搬入部21と第２搬入部22、第１搬出部23と第２搬出部24の、両方または一方が第２方向Ｙの一側または他側に上下方向に配設されてもよい。
【０１２４】
例えば、第１搬入部21と第２搬入部22、第１搬出部23と第２搬出部24の両方が第２方向Ｙの一側に配設された場合、倉庫本体11は、搬送装置13の一側に位置することになり、第１受渡部32の第１受渡ローラ58が一側域26aに、第２受渡部33の第２受渡ローラ65が一側域26aと他側域26bに、第１送出部34の第１送出ローラ76が一側域27aと他側域27bに、第２送出部35の第２送出ローラ81が一側域27aに配設される。そして、第１受渡部32および第２受渡部33の搬送方向は第２方向Ｙの一側から他側へと向かう方向になり、第１送出部34および第２送出部35の搬送方向は第２方向Ｙの他側から一側に向かう方向になる。
【０１２５】
また、第１搬入部21と第２搬入部22が第２方向Ｙの一側、第１搬出部23と第２搬出部24が第２方向Ｙの他側に配設された場合、第１受渡部32の第１受渡ローラ58が一側域26aと他側域26bに、第２受渡部33の第２受渡ローラ65が一側域26aに、第１送出部34の第１送出ローラ76が一側域27aと他側域27bに、第２送出部35の第２送出ローラ81が他側域26aに配設される。そして、第１受渡部32および第２受渡部33の搬送方向は第２方向Ｙの一側から他側へと向かう方向となり、第１送出部34および第２送出部35の搬送方向も第２方向Ｙの一側から他側に向かう方向となる。
【０１２６】
さらに、第１搬入部21と第２搬出部24が第２方向Ｙの一側、第２搬入部22と第１搬出部23が第２方向Ｙの他側、またはその逆としてもよく、第１搬入部21と第２搬入部22、第１搬出部23と第２搬出部24の、両方または一方が第２方向Ｙの一側または他側に上下方向に配設されるレイアウトと組み合わせるなど、搬送装置本体20に対する、第１搬入部21と第２搬入部22、第１搬出部23と第２搬出部24の配置は適宜変更できる。
【０１２７】
また、入庫品Ａ、出庫品Ｂの処理要求数の変化に応じて、入庫品Ａが出庫品Ｂよりも所定の基準より多い場合は、複数の入庫品Ａを第１搬入部21から、上昇搬送部26を移動する１台の搬送台37に対して複数の入庫品Ａを送り込み、下降搬送部27で複数の入庫品Ａを搬送する搬送台37からは、複数の入庫品Ａを一斉に一の第２搬出部24へ送り出してもよいし、各入庫品Ａが対応する第２搬出部24へ振り分けて送り出してもよい。反対に、出庫品Ｂが入庫品Ａよりも所定の基準より多い場合は、上昇搬送部26を移動する１台の搬送台37に対して一の第２搬入部22から複数の出庫品Ｂを送り込んでもよいし、複数の第２搬入部22から搬送台37に順次搬送物を送り込んでもよく、第１搬出部23からは複数の出庫品Ｂが送り出される。なお、複数の入庫品Ａまたは出庫品Ｂを同時に搬送台37で搬送する処理方法に切り替えるか否かを判断するための、入庫品Ａと出庫品Ｂの差に関する所定の基準とは、入庫品Ａと出庫品Ｂとの処理個数差の差によって判断してもよいし、処理個数の割合によって判断してもよく、この設定閾値は適宜変更できる。
【０１２８】
次に、第２の実施の形態を、図１３ないし図２３を参照して説明する。
【０１２９】
第２の実施の形態は、搬送台37、第１受渡部32、第２受渡部33、第１送出部34および第２送出部35の構成が第１の実施の形態と異なり、その他の構成は第１の実施の形態と同様に構成されている。
【０１３０】
図１３および図１４には、搬送台37および第１受渡部32の構成を示す。
【０１３１】
まず、搬送台37は、第２方向Ｙの中央の台部41、およびこの台部41から第２方向Ｙの両側に櫛歯状に突出された複数のフォーク部42を有している。複数のフォーク部42間は、上下方向および外側方に開口されている。また、搬送台37の各搭載位置40a，40bにおける第２方向Ｙの両側および第１方向Ｘの両側に、各搭載位置40a，40bに搭載された入庫品Ａまたは出庫品Ｂの位置ずれを規制する規制部43，44が設けられている。第２方向Ｙの両側の規制部43は、各フォーク部42の先端から上方に突設されている。そして、搬送台37は、機構部38に準じた循環構成（図示せず）により上昇搬送部26と下降搬送部27との間で循環移動される。
【０１３２】
また、第１受渡部32は、上昇搬送部26の第２方向Ｙの両側に配設されている。第１受渡部32は、上昇搬送部26の一側域26aと他側域26b、および搬送台37の一側搭載位置40aと他側搭載位置40bに対応して、第２方向Ｙの一側と他側の２つに分割された一側受渡部32aと他側受渡部32bを有している。一側受渡部32aと他側受渡部32bは、共通の構造のものが用いられ、向きを１８０°変えて配置されている。
【０１３３】
第１受渡部32（一側受渡部32aおよび他側受渡部32b）は、複数の受渡搬送体である第１受渡搬送体90、複数の第１受渡搬送体90を駆動する駆動部91、および複数の第１受渡搬送体90を上昇搬送部26に対して進退可能に支持する支持部92を備えている。
【０１３４】
第１受渡搬送体90は、第１方向Ｘに所定の間隔をあけて配置されている。第１受渡搬送体90は、上昇搬送部26内に進入した際に上昇搬送部26を上昇する搬送台37と干渉しないように、搬送台37の複数のフォーク部42間の位置に対応して配置されている。すなわち、第１受渡部32（一側受渡部32aおよび他側受渡部32b）には、上昇搬送部26を上昇する搬送台37に櫛歯状に配置されている複数のフォーク部42と干渉しないように、複数の第１受渡搬送体90が櫛歯状に配置されている。
【０１３５】
第１受渡搬送体90は、例えばベルトコンベヤにて構成されている。第１受渡搬送体90は、無端状のベルト93、このベルト93を第２方向Ｙに沿って掛け回す一対のプーリ94、およびこれらプーリ94を回転可能に支持する支持フレーム95を備えている。支持フレーム95は、上昇搬送部26に進入される先端側に対して反対の基端側が支持部92に取り付けられている。したがって、第１受渡搬送体90は、支持部92に片持ち状態に支持されている。なお、第１受渡搬送体90は、第２方向Ｙに複数のローラを配置したローラコンベヤなどにて構成されていてもよい。
【０１３６】
駆動部91は、第１方向Ｘに沿って配置される回転軸96、支持部92上に回転軸96を回転自在に軸支する軸受97、および回転軸96を回転させるモータ98を備えている。回転軸96には各第１受渡搬送体90の基端側のプーリ94が固着されている。モータ98の駆動により、各第１受渡搬送体90のベルト93が回転する。
【０１３７】
そして、第１受渡搬送体90は、第１搬入部21から送り込まれる入庫品Ａを、上昇搬送部26の他側に向けた方向であって、第２方向Ｙに沿った第１搬入方向Y1に向けて搬送する。
【０１３８】
また、支持部92は、フレーム30に固定されるベース99、このベース99上に第２方向Ｙに沿って配設された複数のレール100、これらレール100に沿って第２方向Ｙにスライドする移動部101、およびベース99に対して移動部101を第２方向Ｙに移動させる複数のシリンダ102を備えている。そして、シリンダ102の動作により、複数の第１受渡搬送体90が、第２方向Ｙに沿ってスライドし、上昇搬送部26内に進入した進入位置（図１３および図１４の２点鎖線にて示す位置）と上昇搬送部26内から退避した退避位置（図１３および図１４の実線にて示す位置）との間で進退可能とする。さらに、一側受渡部32aおよび他側受渡部32bは、各支持部92により、それぞれ独立して上昇搬送部26に対して進退可能とする。また、一側受渡部32aの退避位置は、第１搬入部21から送り込まれる入庫品Ａを受け入れる受入位置である。
【０１３９】
ベース99には、受入位置（退避位置）に位置する一側受渡部32aに第１搬入部21から送り込まれる入庫品Ａを乗り移らせるための複数の乗移りローラ103が回転自在に配設されている。なお、他側受渡部32bは、一側受渡部32aと共通に構成されているため、乗移りローラ103を備えているが、乗移りローラ103は備えていなくてもよい。
【０１４０】
また、図１５(a)および図１６(a)に第１受渡部32を示すが、図１５(b)および図１６(a)に示すように第２受渡部33は第１受渡部32と同様の構成が用いられ、図１５(b)および図１６(b)に示すように第１送出部34は第１受渡部32の少なくとも一部と同様の構成が用いられ、図１５(a)および図１６(b)に示すように第２送出部35は第１受渡部32の少なくとも一部と同様の構成が用いられている。
【０１４１】
すなわち、図１５(b)および図１６(a)に示すように、第２受渡部33は、上昇搬送部26の第２方向Ｙの両側に配設されている。第２受渡部33は、第２方向Ｙの一側と他側の２つに分割された一側受渡部33aと他側受渡部33bを有している。第２受渡部33（一側受渡部33aおよび他側受渡部33b）は、上昇搬送部26を上昇する搬送台37のフォーク部42間の位置に進退可能とするとともに、第２方向Ｙの一側に向けて出庫品Ｂを搬送可能とする複数の受渡搬送体である第２受渡搬送体111などを有している。
【０１４２】
図１５(b)および図１６(b)に示すように、第１送出部34は、下降搬送部27の第２方向Ｙの一側に配設されており、つまり一側送出部34aを備えている。第１送出部34（一側送出部34a）は、下降搬送部27を下降する搬送台37のフォーク部42間の位置に進退可能とするとともに、第２方向Ｙの一側に向けて出庫品Ｂを搬送可能とする複数の第１送出搬送体112などを有している。なお、第１送出部34は、第１の実施の形態と同様に、下降搬送部27の第２方向Ｙの他側に配設される他側送出部を備えていてもよい。
【０１４３】
図１５(a)および図１６(b)に示すように、第２送出部35は、下降搬送部27の第２方向Ｙの他側に配設されており、つまり他側送出部35bを備えている。第２送出部35（他側送出部35b）は、下降搬送部27を下降する搬送台37のフォーク部42間の位置に進退可能とするとともに、第２方向Ｙの他側に向けて入庫品Ａを搬送可能とする複数の第２送出搬送体113などを有している。なお、第２送出部35は、上述したように搬送台37に２つの入庫品Ａを搭載する場合に対応して、下降搬送部27の第２方向Ｙの一側に配設される一側送出部を備えていてもよい。
【０１４４】
そして、第２受渡搬送体111、第１送出搬送体112および第２送出搬送体113は、第１受渡搬送体90と同様に構成されている。
【０１４５】
また、図１４および図１７(a)に示すように、第１搬入部21上の位置に対応して、入庫品Ａの在荷を検知する在荷検知用センサP11-1が配設されている。受入位置（退避位置）に位置する一側受渡部32a上の位置に対応して、入庫品Ａの在荷を確認する在荷検知用センサP12-1と、一側受渡部32aの先端側からの入庫品Ａのはみ出しを検知するはみ出し検知用センサP13-1とが配設されている。進入位置に位置する他側受渡部32b上の位置に対応して、入庫品Ａの在荷を検知する在荷検知用センサP14-1と、入庫品Ａの位置を検知する位置決め用センサP15-1とが配設されている。上昇搬送部26内で第１受渡部32に対応して、搬送台37の通過を確認する搬送台検知用センサP16-1-1，P16-1-2が配置されている。
【０１４６】
また、第２搬入部22および第２受渡部33の各位置には、第１搬入部21および第１受渡部32の各位置に対応して配設された在荷検知用センサP11-1、在荷検知用センサP12-1、はみ出し検知用センサP13-1、在荷検知用センサP14-1、位置決め用センサP15-1、搬送台検知用センサP16-1-1，P16-1-2と同様の検知を行うための各センサが配設されている。また、図１７(c)には、第２受渡部33の受入位置（退避位置）に位置する他側受渡部33b上の位置に対応して、出庫品Ｂの在荷を確認する在荷検知用センサP12-2，P12-3，P12-4…を示している。さらに、上昇搬送部26内で第２受渡部33の各位置に対応して、搬送台37の通過を確認する搬送台検知用センサP16-2-1，P16-2-2，P16-3-1，P16-3-2，P16-4-1，P16-4-2…を示している。
【０１４７】
また、図１８に示すように、下降搬送部27内には、第２送出部35の各位置に対応して、下降する搬送台37の通過を検知する搬送台検知用センサP17-2-1，P17-2-2，P17-3-1，P17-3-2，P17-4-1，P17-4-2…と、搬送台37から各第２送出部35に受け取った入庫品Ａの在荷を検知する在荷検知用センサP18-2，P18-3，P18-4…とが配設されている。また、同様に、下降搬送部27内には、第１送出部34の位置に対応して、下降する搬送台37の通過を確認する搬送台検知用センサ（図示せず）と、搬送台37から第１送出部34に受け取った出庫品Ｂの在荷を検知する在荷検知用センサ（図示せず）とが配設されている。
【０１４８】
次に、第２の実施の形態の搬送装置13の動作を説明する。
【０１４９】
まず、図１５(a)、および図１６(a)(b)に入庫品Ａの入庫の流れを示す。図１７(a)(b)に上昇搬送部26での入庫の動作タイミングを示し、図１８(a)(b)に下降搬送部27での入庫の動作タイミングを示す。
【０１５０】
第１搬入部21に入庫品Ａが順次搬入される。
【０１５１】
第１受渡部32の一側受渡部32aが受入位置（退避位置）に位置する状態で、第１搬入部21および一側受渡部32aの第１受渡搬送体90が低速駆動され、第１搬入部21上の入庫品Ａが一側受渡部32a上に低速搬送される。このとき、図１４に示した在荷検知用センサP12-1の検知により、一側受渡部32a上で入庫品Ａの搬送が停止される。また、図１４に示したはみ出し検知用センサP13-1が入庫品Ａを検知する場合には、はみ出し検知用センサP13-1が入庫品Ａを検知しなくなるまで入庫品Ａが逆方向に搬送され、一側受渡部32aの先端側からはみ出した入庫品Ａが搬送台37と干渉するのが防止される。
【０１５２】
図１７(a)に示すように、在荷検知用センサP12-1の検知により一側受渡部32a上の入庫品Ａが検知され、かつ、各搬送台37の位置情報に基づき、第１受渡部32の高さ位置に対応して設けられた搬送台検知用センサP16-1-1で入庫品Ａを搭載予定の搬送台37の１つ前の搬送台37の通過が検知されると、他側受渡部32bが上昇搬送部26内に進入移動される。
【０１５３】
さらに、図１７(b)に示すように、在荷検知用センサP12-1の検知により一側受渡部32a上の入庫品Ａが検知され、かつ、各搬送台37の位置情報に基づき、第１受渡部32の上側位置であって第１受渡部32上の入庫品Ａの最大高さ位置に対応して設けられた搬送台検知用センサP16-1-2で入庫品Ａを搭載予定の搬送台37の１つ前の搬送台37の通過が検知されると、一側受渡部32a上の入庫品Ａが１つ前の搬送台37と干渉しなくなるため、一側受渡部32aが上昇搬送部26内に進入移動される。
【０１５４】
一側受渡部32aが上昇搬送部26内に進入移動されたら、一側受渡部32aおよび他側受渡部32bの各第１受渡搬送体90が高速駆動され、一側受渡部32a上の入庫品Ａが他側受渡部32b上に高速搬送される。図１４に示した在荷検知用センサP14-1で入庫品Ａが検知されると、他側受渡部32bによる入庫品Ａの搬送が低速に切り換えられる。さらに、図１４に示した位置決め用センサP15-1で入庫品Ａが検知されると、入庫品Ａの搬送が停止されるとともに、停止後に例えば位置決め用センサP15-1で検知しなくなるまで入庫品Ａが少し逆方向に搬送され、他側受渡部32b上の所定の受渡位置に入庫品Ａが位置決め停止される。
【０１５５】
図１４に示した在荷検知用センサP14-1で入庫品Ａを検知すると、一側受渡部32aの第１受渡搬送体90の搬送駆動が停止され、一側受渡部32aが受入位置（退避位置）に戻される。そして、一側受渡部32a上に、第１搬入部21から次の入庫品Ａを受け入れる。
【０１５６】
そして、上昇搬送部26を上昇してくる搬送台37の他側搭載位置40bに、他側受渡部32b上の入庫品Ａが受け渡される。
【０１５７】
また、入庫品Ａを搭載して上昇搬送部26内を上昇する搬送台37は、上昇搬送部26の上部から下降搬送部27に移動し、下降搬送部27内を下降する。
【０１５８】
図１８(a)に示すように、各搬送台37の位置情報に基づき、入庫品Ａを受け取る第２送出部35では、この第２送出部35から入庫品Ａの最大高さ分の下側位置に対応して設けられた搬送台検知用センサP17-2-1で、受取対象の入庫品Ａを搭載した搬送台37の１つ前の搬送台37の通過が検知されると、第２送出部35の他側送出部35bが１つ前の搬送台37上の入庫品Ａと干渉しなくなるため、他側送出部35bが退避位置から下降搬送部27内に進入移動される。
【０１５９】
図１８(b)に示すように、下降搬送部27内に進入移動した他側送出部35bに、下降する搬送台37の他側搭載位置40bから受取対象の入庫品Ａを受け取る。入庫品Ａを受け取る第２送出部35の位置に対応してそれぞれ設けられた、在荷検知用センサP18-2で他側送出部35b上の入庫品Ａが検知され、かつ、搬送台検知用センサP17-2-2で搬送台37の通過が検知されると、他側送出部35bが退避位置に戻り、つまり第２搬出部24への入庫品Ａの送出位置に戻り、他側送出部35b上の入庫品Ａが第２搬出部24に送り出される。
【０１６０】
続いて、図１５(b)および図１６(a)(b)に出庫品Ｂの出庫の流れを示す。図１７(c)に上昇搬送部26での出庫の動作タイミングを示す。
【０１６１】
第２搬入部22に出庫品Ｂが搬入される。
【０１６２】
第２受渡部33の他側受渡部33bが受入位置（退避位置）に位置する状態で、第２搬入部22および他側受渡部33bの第２受渡搬送体111が低速駆動され、第２搬入部22上の出庫品Ｂが他側受渡部33b上に低速搬送される。このとき、第１受渡部32への入庫品Ａの搬送と同様に、他側受渡部33bの位置に対応して設けられた在荷検知用センサの検知により、他側受渡部33b上で出庫品Ｂの搬送が停止され、また、他側受渡部33bの位置に対応して設けられたはみ出し検知用センサで出庫品Ｂが検知される場合には、はみ出し検知用センサで出庫品Ｂが検知されなくなるまで出庫品Ｂが逆方向に搬送され、他側受渡部33bの先端側からはみ出した出庫品Ｂが搬送台37と干渉するのが防止される。
【０１６３】
例えば、図１７(c)に示す３段のうちの真ん中の第２受渡部33から出庫品Ｂの出庫が行われる場合、在荷検知用センサP12-3の検知により他側受渡部33b上の出庫品Ｂが検知され、かつ、各搬送台37の位置情報に基づき、第２受渡部33の位置に対応して設けられた搬送台検知用センサP16-3-1で出庫品Ｂを搭載予定の搬送台37の１つ前の搬送台37の通過が検知されると、一側受渡部33aが上昇搬送部26内に進入移動される。
【０１６４】
さらに、在荷検知用センサP12-3の検知により他側受渡部33b上の出庫品Ｂが検知され、かつ、各搬送台37の位置情報に基づき、第２受渡部33の上側位置であって第２受渡部33上の出庫品Ｂの最大高さ位置に対応して設けられた搬送台検知用センサP16-3-2で出庫品Ｂを搭載予定の搬送台37の１つ前の搬送台37の通過が検知されると、他側受渡部33b上の出庫品Ｂが１つ前の搬送台37と干渉しなくなるため、他側受渡部33bが上昇搬送部26内に進入移動される。
【０１６５】
他側受渡部33bが上昇搬送部26内に進入移動されたら、一側受渡部33aおよび他側受渡部33bの各第２受渡搬送体111が駆動され、他側受渡部33b上の出庫品Ｂが一側受渡部33a上に搬送される。その後は、第１受渡部32による入庫品Ａの搬送と同様にして、一側受渡部33a上に出庫品Ｂが位置決め停止される。
【０１６６】
在荷検知用センサで一側受渡部33a上に出庫品Ｂが搬送されたことを検知すると、他側受渡部33bが受入位置（退避位置）に戻され、搬送台37の他側搭載位置40bに搭載された入庫品Ａの通過が可能となるとともに、第２搬入部22から送り込まれる次の出庫品Ｂを受け入れが可能となる。
【０１６７】
そして、上昇搬送部26を上昇してくる搬送台37の一側搭載位置40aに、一側受渡部33a上の出庫品Ｂが受け渡される。このとき、搬送台37に入庫品Ａが搭載されている場合には、１つの搬送台37に入庫品Ａと出庫品Ｂとが一緒に搭載される。
【０１６８】
また、少なくとも出庫品Ｂを搭載して上昇搬送部26内を上昇する搬送台37は、上昇搬送部26の上部から下降搬送部27に移動され、下降搬送部27内を下降される。
【０１６９】
各搬送台37の位置情報に基づき、第１送出部34の位置に対応して設けられた搬送台検知用センサで、出庫品Ｂを搭載した搬送台37の１つ前の搬送台37の通過が検知されると、一側送出部34aが退避位置から下降搬送部27内に進入移動される。
【０１７０】
下降搬送部27内に進入移動した一側送出部34aに、下降する搬送台37の一側搭載位置40aから出庫品Ｂを受け取る。第１送出部34の位置に対応してそれぞれ設けられた、在荷検知用センサで一側送出部34a上の出庫品Ｂが検知され、かつ、搬送台検知用センサで搬送台37の通過が検知されると、一側送出部34aを退避位置に戻り、つまり第１搬出部23への出庫品Ｂの送出位置に戻り、一側送出部34a上の出庫品Ｂが第１搬出部23に送り出される。
【０１７１】
次に、図１９には、入庫品Ａの第２方向Ｙの長さが長い場合であって、１つの搬送台37に入庫品Ａのみを載せて出庫品Ｂは載せない場合の動作を示す。入庫品Ａの第２方向Ｙの長さは、搬送台37の一側搭載位置40aと他側搭載位置40bとを合わせた第２方向Ｙの長さよりも短いが、入庫品Ａを搭載する搬送台37の他側搭載位置40bの第２方向Ｙの長さよりも長い寸法関係にある。
【０１７２】
図１９(a)に示すように、第１受渡部32の受入位置にある一側受渡部32a上に入庫品Ａが搬送される。
【０１７３】
図１９(b)に示すように、第１受渡部32の位置を、入庫品Ａを搭載予定の搬送台37の１つ前の搬送台37が通過していくことにより、他側受渡部32bおよび一側受渡部32aが上昇搬送部26内に順次進入移動される。なお、他側受渡部32bおよび一側受渡部32aの進入移動のタイミングは上述したように各センサの検知に基づいて実行される。また、上昇搬送部26内に進入移動した一側受渡部32aおよび他側受渡部32bの駆動により、一側受渡部32a上の入庫品Ａが他側受渡部32b上に向けて搬送され、入庫品Ａの搬送方向先端側を基準として搬送台37に対する所定の受渡位置に位置決め停止される。なお、入庫品Ａの位置決め停止は上述したように各センサの検知に基づいて実行される。そして、入庫品Ａは、他側受渡部32bから一側受渡部32aの一部に亘って配置される。
【０１７４】
図１９(c)(d)に示すように、上昇搬送部26を上昇してくる搬送台37上に、第１受渡部32上の入庫品Ａを受け渡す。入庫品Ａは、搬送台37の他側搭載位置40bから一側搭載位置40aの一部に亘って搭載される。この場合、入庫品Ａが搭載された搬送台37には出庫品Ｂは搭載されない。また、搬送台37に入庫品Ａを受け渡した第１受渡部32の一側受渡部32aおよび他側受渡部32bは上昇搬送部26から退避移動される。そして、入庫品Ａは、搬送台37によって上昇搬送部26から下降搬送部27に搬送される。
【０１７５】
図１９(e)〜(h)に示すように、入庫品Ａの第２方向Ｙの長さが長い場合、下降搬送部27に配置される各第２送出部35は、他側送出部35bに加えて、搬送台37からの入庫品Ａの受取補助をするための一側送出部35aを備えている。
【０１７６】
図１９(e)(f)に示すように、第２送出部35の位置を、受取対象の入庫品Ａを搭載した搬送台37の１つ前の搬送台37が通過していくことにより、一側送出部35aおよび他側送出部35bが下降搬送部27内に進入移動される。なお、一側送出部35aおよび他側送出部35bの進入移動のタイミングは上述したように各センサの検知に基づいて実行される。そして、下降搬送部27内に進入移動した一側送出部35aおよび他側送出部35bによって、下降搬送部27内を下降する搬送台37上から入庫品Ａを受け取る。
【０１７７】
図１９(g)に示すように、一側送出部35aおよび他側送出部35b上の入庫品Ａは、他側送出部35bのみに載るように搬送される。
【０１７８】
図１９(h)に示すように、一側送出部35aおよび他側送出部35bが下降搬送部27から退避移動される。これにより、他側送出部35bは第２搬出部24への入庫品Ａの送出位置に戻り、他側送出部35b上の入庫品Ａが第２搬出部24に送り出される。
【０１７９】
なお、入庫品Ａの第２方向Ｙの長さが他側送出部35bのみで搬送台37から受け取ることが可能な長さであれば、受取補助の一側送出部35aは用いなくてもよい。
【０１８０】
このように、搬送装置13は、入庫品Ａの第２方向Ｙの長さが長い場合であっても、搬送台37に搭載可能な長さであれば、入庫品Ａの取り扱いができる。
【０１８１】
次に、図２０に、出庫品Ｂの第２方向Ｙの長さが長い場合であって、１つの搬送台37に出庫品Ｂのみを搭載して入庫品Ａは搭載しない場合の動作を示す。出庫品Ｂの第２方向Ｙの長さは、搬送台37の一側搭載位置40aと他側搭載位置40bとを合わせた第２方向Ｙの長さよりも短いが、出庫品Ｂを搭載する搬送台37の一側搭載位置40aの第２方向Ｙの長さよりも長い寸法関係にある。
【０１８２】
図２０(a)に示すように、第２受渡部33の受入位置にある他側受渡部33b上に出庫品Ｂが搬送される。
【０１８３】
図２０(b)に示すように、第２受渡部33の位置を、出庫品Ｂを搭載予定の搬送台37の１つ前の搬送台37が通過していくことにより、一側受渡部33aおよび他側受渡部33bが退避位置から上昇搬送部26内に進入移動される。なお、一側受渡部33aおよび他側受渡部33bの進入移動のタイミングは上述したように各センサの検知に基づいて実行される。また、上昇搬送部26内に進入移動した一側受渡部33aおよび他側受渡部33bの駆動により、他側受渡部33b上の出庫品Ｂが一側受渡部33a上に向けて搬送され、出庫品Ｂの搬送方向先端側を基準として搬送台37に対する所定の受渡位置に位置決め停止される。なお、出庫品Ｂの位置決め停止は上述したように各センサの検知に基づいて実行される。そして、出庫品Ｂは、一側受渡部33aから他側受渡部33bの一部に亘って配置される。
【０１８４】
図２０(c)(d)に示すように、上昇搬送部26を上昇してくる搬送台37上に、第２受渡部33上の出庫品Ｂを受け渡す。出庫品Ｂは、搬送台37の一側搭載位置40aから他側搭載位置40bの一部に亘って搭載される。この場合、出庫品Ｂは、入庫品Ａが搭載されていない搬送台37に搭載され、入庫品Ａが搭載されている搬送台37には搭載されない。また、搬送台37に出庫品Ｂを受け渡した第２受渡部33の一側受渡部33aおよび他側受渡部33bは、上昇搬送部26から退避移動される。そして、出庫品Ｂは、搬送台37によって上昇搬送部26から下降搬送部27に搬送される。
【０１８５】
図２０(e)〜(g)に示すように、出庫品Ｂの第２方向Ｙの長さが長い場合には、下降搬送部27に配置される第１送出部34は、一側送出部34aに加えて、搬送台37からの出庫品Ｂの受取補助をするための他側送出部34bを備えている。
【０１８６】
なお、図２０(e)〜(g)においては、一側送出部34aおよび他側送出部34bが下降搬送部27内に進入した状態に固定配置され、この一側送出部34aに側部位置に第１搬出部23が配置されている例を示す。ただし、一側送出部34aおよび他側送出部34bは、上述のように下降搬送部27内に対して進退移動可能に構成されていてもよい。
【０１８７】
図２０(e)(f)に示すように、第１送出部34の一側送出部34aおよび他側送出部34bにより、下降搬送部27内を下降する搬送台37上から出庫品Ｂを受け取る。
【０１８８】
図２０(g)に示すように、一側送出部34aおよび他側送出部34b上に受け取った出庫品Ｂは第１搬出部23に送り出される。
【０１８９】
なお、出庫品Ｂの第２方向Ｙの長さが一側送出部34aのみで搬送台37から受け取ることが可能な長さであれば、受取補助の他側送出部34bは用いなくてもよい。
【０１９０】
このように、搬送装置13は、出庫品Ｂの第２方向Ｙの長さが長い場合であっても、搬送台37に搭載可能な長さであれば、出庫品Ｂの取り扱いができる。
【０１９１】
次に、図２１に、入庫品Ａの第２方向Ｙの長さが長く、出庫品Ｂの第２方向Ｙの長さが短く、入庫品Ａ＞出庫品Ｂの長さ関係にある場合であって、１つの搬送台37にこれら入庫品Ａと出庫品Ｂとを一緒に搭載可能とする場合の動作を示す。この場合、（入庫品Ａの第２方向Ｙの長さ）＋（出庫品Ｂの第２方向Ｙの長さ）＜（搬送台37の搭載領域の第２方向Ｙの長さ）の関係にある。また、入庫品Ａは第２送出部35の他側送出部35bのみで搬送台37から受け取ることが可能な長さであり、第２送出部35は受取補助の一側送出部35aを用いない。なお、入庫品Ａと出庫品Ｂが必ず隙間を空けるように最小のクリアランス値を設定してもよい。
【０１９２】
図２１(a)〜(d)に示すように、上述した図１９(a)〜(d)と同様に、第１受渡部32において、上昇搬送部26を上昇してくる搬送台37上に入庫品Ａを受け渡す。入庫品Ａは、搬送台37の他側搭載位置40bから一側搭載位置40aの一部に亘って搭載される。
【０１９３】
図２１(e)に示すように、第２受渡部33の受入位置にある他側受渡部33b上に出庫品Ｂが搬送される。
【０１９４】
図２１(f)に示すように、第２受渡部33の位置を、出庫品Ｂを搭載予定の搬送台37の１つ前の搬送台37が通過していくことにより、一側受渡部33aおよび他側受渡部33bが退避位置から上昇搬送部26内に進入移動される。なお、一側受渡部33aおよび他側受渡部33bの進入移動のタイミングは上述したように各センサの検知に基づいて実行される。
【０１９５】
上昇搬送部26内に進入移動した一側受渡部33aおよび他側受渡部33bの駆動により、他側受渡部33b上の出庫品Ｂが一側受渡部33a上に搬送される。この場合、他側受渡部33b上の出庫品Ｂが一側受渡部33a上に乗り移るためには、一側受渡部33aが最大進入位置まで移動する必要があるが、ここまで移動された一側受渡部33aの先端側は搬送台37上の入庫品Ａと干渉してしまう。そのため、図２１(g)に示すように、一側受渡部33aの先端側が搬送台37上の入庫品Ａと干渉しないように、一側受渡部33aが後退移動される。さらに、出庫品Ｂは、一側受渡部33aの先端側の所定の受渡位置に配置される。また、一側受渡部33aに出庫品Ｂを受け渡した他側受渡部33bは上昇搬送部26から退避移動される。
【０１９６】
図２１(h)(i)に示すように、上昇搬送部26を上昇してくる搬送台37上に、第２受渡部33上の出庫品Ｂが受け渡される。出庫品Ｂは、搬送台37に既に搭載されている入庫品Ａに隣接した一側搭載位置40aの一側寄りの一部に搭載される。したがって、入庫品Ａと出庫品Ｂとが１つの搬送台37に一緒に搭載されて、上昇搬送部26から下降搬送部27に搬送される。また、搬送台37に出庫品Ｂを受け渡した第２受渡部33の一側受渡部33aおよび他側受渡部33bは上昇搬送部26から退避移動される。
【０１９７】
そして、下降搬送部27において、搬送台37上の入庫品Ａは該当する第２送出部35によって第２搬出部24に送り出され、出庫品Ｂは第１送出部34によって第１搬出部23に送り出される。
【０１９８】
このように、搬送装置13は、入庫品Ａの第２方向Ｙの長さが長い場合であっても、入庫品Ａの取り扱いができるとともに、第２方向Ｙの長さが短い出庫品Ｂと組み合わせて、入庫品Ａと出庫品Ｂを１つの搬送台37に搭載して搬送することにより、搬送効率を向上できる。
【０１９９】
次に、図２２および図２３に、出庫品Ｂの第２方向Ｙの長さが長く、入庫品Ａの第２方向Ｙの長さが短く、出庫品Ｂ＞入庫品Ａの長さ関係にある場合であって、１つの搬送台37にこれら入庫品Ａと出庫品Ｂとを一緒に搭載する場合の動作を示す。この場合、（入庫品Ａの第２方向Ｙの長さ）＋（出庫品Ｂの第２方向Ｙの長さ）＜（搬送台37）の搭載領域の第２方向Ｙの長さ）の関係にある。
【０２００】
図２２(a)〜(d)に示すように、上述した図１９(a)〜(d)と同様に、第１受渡部32において、上昇搬送部26を上昇してくる搬送台37上に入庫品Ａが受け渡される。入庫品Ａは、搬送台37の他側搭載位置40bの他側寄りの一部に搭載される。
【０２０１】
図２２(e)に示すように、第２受渡部33の受入位置にある他側受渡部33b上に出庫品Ｂが搬送される。
【０２０２】
図２２(f)に示すように、第２受渡部33の位置を、出庫品Ｂを搭載予定の搬送台37の１つ前の搬送台37が通過していくことにより、一側受渡部33aおよび他側受渡部33bが退避位置から上昇搬送部26内に進入移動される。なお、一側受渡部33aおよび他側受渡部33bの進入移動のタイミングは上述したように各センサの検知に基づいて実行される。
【０２０３】
上昇搬送部26内に進入移動した一側受渡部33aおよび他側受渡部33bの駆動により、他側受渡部33b上の出庫品Ｂが一側受渡部33a上に搬送され、出庫品Ｂの搬送方向先端側を基準として搬送台37に対する所定の受渡位置に位置決め停止される。なお、出庫品Ｂの位置決め停止は上述したように各センサの検知に基づいて実行される。
【０２０４】
図２２(g)に示すように、他側受渡部33bは上昇搬送部26から退避移動される。なお、出庫品Ｂの長さが一側受渡部33aから他側受渡部33bに亘って載る長さの場合、他側受渡部33bを上昇搬送部26から退避移動される際、出庫品Ｂが引きずられて位置ずれしてしまう可能性がある。そこで、他側受渡部33bが上昇搬送部26から退避移動される際には、他側受渡部33b（第２受渡搬送体111）が正転されながら退避移動されることにより、出庫品Ｂの位置ずれが防止される。あるいは、出庫品Ｂが他側受渡部33bから一側受渡部33aのみに載る位置まで一旦搬送され、他側受渡部33bが退避移動された後、一側受渡部33a（第２受渡搬送体111）が逆転されて出庫品Ｂが所定の受渡位置に搬送されることにより、出庫品Ｂの位置ずれが防止される。
【０２０５】
図２２(h)(i)に示すように、上昇搬送部26を上昇してくる搬送台37上に、第２受渡部33上の出庫品Ｂを受け渡す。出庫品Ｂは、搬送台37に既に搭載されている入庫品Ａに隣接した一側搭載位置40aから他側搭載位置40bの一側寄りの一部に亘って搭載される。したがって、入庫品Ａと出庫品Ｂとが一緒に１つの搬送台37に搭載されて、上昇搬送部26から下降搬送部27に搬送される。また、搬送台37に出庫品Ｂを受け渡した第２受渡部33の一側受渡部33aは退避位置に戻る。
【０２０６】
図２３(a)(b)に示すように、下降搬送部27において、第２送出部35の位置を、受取対象の入庫品Ａを搭載した搬送台37の１つ前の搬送台37が通過していくことにより、他側送出部35bが下降搬送部27内に進入移動される。なお、他側送出部35bの進入移動のタイミングは上述したように各センサの検知に基づいて実行される。
【０２０７】
このとき、他側送出部35bが最大進入位置まで移動されると、他側送出部35bの先端側が搬送台37上の出庫品Ｂと干渉してしまう。そのため、他側送出部35bが出庫品Ｂと干渉しないように、下側搬送部27内への他側送出部35bの進入移動量Ｌが調整される。
【０２０８】
図２３(c)(d)に示すように、下降搬送部27内に進入移動した他側送出部35bによって、下降搬送部27内を下降する搬送台37上から入庫品Ａを受け取る。
【０２０９】
図２３(e)に示すように、他側送出部35bが下側搬送部27から退避移動される。これにより、他側送出部35bは第２搬出部24への入庫品Ａの送出位置に戻り、他側送出部35b上の入庫品Ａが第２搬出部24に送り出される。
【０２１０】
また、下降搬送部27において、搬送台37上の出庫品Ｂは第１送出部34によって第１搬出部23に送り出される。
【０２１１】
このように、搬送装置13は、出庫品Ｂの第２方向Ｙの長さが長い場合であっても、出庫品Ｂの取り扱いができるとともに、第２方向Ｙの長さが短い入庫品Ａと組み合わせて、入庫品Ａと出庫品Ｂを１つの搬送台37に搭載して搬送することにより、搬送効率を向上できる。
【０２１２】
そして、第２の実施の形態の搬送装置13では、第１の実施の形態と同様に、１つの搬送装置本体20によって、搬送装置本体20の一側から他側への搬送物12（入庫品Ａ）の搬送と、搬送装置本体20の他側から一側への搬送物12（出庫品Ｂ）の搬送とが並行して可能となり、省スペースで、搬送物12を効率的に搬送できる、などの作用効果を得ることができる。
【０２１３】
さらに、各受渡部32，33および各送出部34，35が上昇搬送部26および下降搬送部27に対して第２方向Ｙに進退移動する構成であるため、第１の方向Ｘに各受渡部32，33および各送出部34，35の退避スペースを設ける必要がなく、搬送装置本体20の上昇搬送部26と下降搬送部27との間の距離を小さくし、小形化することができる。しかも、２列の保管部16の間隔が狭い自動倉庫システム10にも対応することができる。
【０２１４】
しかも、各受渡部32，33および各送出部34，35の移動方向と搬送物12の搬送方向とが同じ方向であるため、各受渡部32，33上および各送出部34，35上に搬送物12を載せた状態で移動することが可能となり、搬送装置13の搬送効率を向上できる。
【０２１５】
すなわち、各受渡部32，33においては、上昇搬送部26内に対して、一側受渡部32aまたは他側受渡部33bの進入移動と、一側受渡部32a上または他側受渡部33b上に送り込まれている搬送物12の進入移動とを同時に行えるため、一側受渡部32aまたは他側受渡部33bの進入移動後にこれら一側受渡部32a上または他側受渡部33b上に搬送物12を送り込む場合に比べて、搬送物12を上昇搬送部26の所定の位置に迅速に配置することができる。そのため、搬送台37による搬送物12の搬送速度を速くしても、各受渡部32，33は対応可能で、搬送装置13の搬送効率を向上できる。
【０２１６】
同様に、各送出部34，35においては、下降搬送部27に対して、一側送出部34aまたは他側送出部35bの退避移動と、一側送出部34aまたは他側送出部35b上に受け取った搬送物12の退避移動とが同時に行えるため、一側送出部34aまたは他側送出部35bから搬送物12を送り出した後にこれら一側送出部34aまたは他側送出部35bを退避移動させる場合に比べて、一側送出部34aまたは他側送出部35bの退避移動のタイミングを早くできる。そのため、搬送台37による搬送物12の搬送速度を速くしても、各送出部34，35は対応可能で、搬送装置13の搬送効率を向上できる。
【０２１７】
さらに、各受渡部32，33においては、搬送物12を受け渡す搬送台37の１つ前の搬送台37の通過直後に、他側受渡部32bまたは一側受渡部33aを上昇搬送部26内に進入移動するため、搬送物12を載せた一側受渡部32aまたは他側受渡部33bが上昇搬送部26内に進入移動すれば、直ぐに一側受渡部32aまたは他側受渡部33bから他側受渡部32bまたは一側受渡部33aに搬送物12を搬送することができる。そのため、搬送台37による搬送物12の搬送速度を速くしても、各受渡部32，33は対応可能で、搬送装置13の搬送効率を向上できる。
【０２１８】
本発明の実施の形態およびその変形例について説明したが、本発明の要旨を逸脱しない範囲で、前記実施の形態および各変形例を適宜組み合わせることも可能である。
【符号の説明】
【０２１９】
10    自動倉庫システム
12    搬送物
13    搬送装置
16    保管部
17    移送部
20    搬送装置本体
21    第１搬入部
22    第２搬入部
23    第１搬出部
24    第２搬出部
26    上昇搬送部
27    下降搬送部
32    第１受渡部
33    受渡部である第２受渡部
33a   一側受渡部
33b   他側受渡部
34    第１送出部
35    第２送出部
37    搬送台
40    搭載位置
42    フォーク部
58    第１受渡ローラ
65    受渡ローラである第２受渡ローラ
76    第１送出ローラ
81    第２送出ローラ
90    受渡搬送体である第１受渡搬送体
111   受渡搬送体である第２受渡搬送体
112   第１送出搬送体
113   第２送出搬送体
Ａ    入庫品
Ｂ    出庫品
Ｘ    第１方向
Ｙ    第２方向
【図１】
2020033185.tif 000003
【図２】
2020033185.tif 000004
【図３】
2020033185.tif 000005
【図４】
2020033185.tif 000006
【図５】
2020033185.tif 000007
【図６】
2020033185.tif 000008
【図７】
2020033185.tif 000009
【図８】
2020033185.tif 000010
【図９】
2020033185.tif 000011
【図１０】
2020033185.tif 000012
【図１１】
2020033185.tif 000013
【図１２】
2020033185.tif 000014
【図１３】
2020033185.tif 000015
【図１４】
2020033185.tif 000016
【図１５】
2020033185.tif 000017
【図１６】
2020033185.tif 000018
【図１７】
2020033185.tif 000019
【図１８】
2020033185.tif 000020
【図１９】
2020033185.tif 000021
【図２０】
2020033185.tif 000022
【図２１】
2020033185.tif 000023
【図２２】
2020033185.tif 000024
【図２３】
2020033185.tif 000025